(57)【要約】【課題】光ディスクのデータ再生能力とデータ記録能力に優れ、かつ、レーザ光の光源の出力光量を正確に検出できる生産効率が高い光ピックアップ装置を提供すること。【解決手段】第２光源２から出射されて波長選択膜８を透過し対物レンズ４に入射する第２レーザ光の光束と接触しない位置で、かつ、波長選択膜８と非接触になる位置に反射膜９を配置する。【選択図】　図１
2004103176.tif 000002
【特許請求の範囲】
【請求項１】
第１レーザ光を出射する第１光源と、
上記第１レーザ光と波長が異なる第２レーザ光を出射する第２光源と、
上記第１および第２レーザ光を光ディスクのデータ記録面に集光する対物レンズと、
上記第２レーザ光の光量を検出する光モニタと、
上記第１光源から出射された上記第１レーザ光を上記対物レンズの方に反射すると共に、上記第２光源から出射された上記第２レーザ光を透過させて対物レンズに入射させる波長選択膜と、この波長選択膜と接触しないように形成されると共に、上記第２光源から出射された上記第２レーザ光を上記光モニタの方に反射する反射手段とを有する光分離素子と
を備える光ピックアップ装置。
【請求項２】
請求項１に記載の光ピックアップ装置において
上記第１光源側の第１プリズムの一側面の少なくとも一部と上記第２光源側の第２プリズムの一側面の少なくとも一部の間に上記波長選択膜を挟んだ状態で、上記第１プリズムの一側面の少なくとも一部と上記第２光源側の第２プリズムの一側面の少なくとも一部とを貼り合わせ、
上記反射手段を、上記第２プリズムに配置することを特徴とする光ピックアップ装置。
【請求項３】
請求項２に記載の光ピックアップ装置において、
上記第１および第２プリズムは三角プリズムであることを特徴とする光ピックアップ装置。
【請求項４】
請求項３に記載の光ピックアップ装置において、
上記波長選択膜が配置された上記第１三角プリズム一側面と、上記反射手段が配置された上記第２三角プリズムの一側面とを、接着剤で貼り合わせることを特徴とする光ピックアップ装置。
【請求項５】
請求項１に記載の光ピックアップ装置において、
上記波長選択膜は、上記第１レーザ光を略全反射すると共に、上記第２レーザ光を略全て透過することを特徴とする光ピックアップ装置。
【請求項６】
請求項１に記載の光ピックアップ装置において、
上記第１光源から出射されて上記波長選択膜で反射され、更に、上記対物レンズに入射する第１レーザ光の上記波長選択膜における入射部分の上記光ディスクに対する射影における第１レーザ光の光束径が、上記第２光源から出射されて上記波長選択膜で透過して上記対物レンズに入射する第２レーザ光の上記波長選択膜における入射部分の上記光ディスクに対する射影における第２レーザ光の光束径よりも大きいことを特徴とする光ピックアップ装置。
【請求項７】
請求項３に記載の光ピックアップ装置において、
上記第１レーザ光を略全反射させると共に、上記第２レーザ光を略全て透過する素材で上記波長選択膜を形成し、
上記第１光源および上記第２光源から出射される発散光中に上記光分離素子を配置し
かつ、上記光分離素子内を進む第１光源から出射された第１レーザ光の光路長を、上記光分離素子内を進む第２光源から出射された第２レーザ光の光路長より長くすることを特徴とする光ピックアップ装置。
【請求項８】
請求項１に記載の光ピックアップ装置において、
上記第１光源および上記第２光源から出射される上記第１および第２レーザ光の発散光中に上記光分離素子を配置し、
かつ、上記反射手段を、第２光源に近接しない位置に配置することを特徴とする光ピックアップ装置。
【請求項９】
請求項１に記載の光ピックアップ装置において、
上記第２光源と上記光分離素子の間にホログラム素子を備え、上記第２光源から出射されて上記ホログラム素子で回折した回折光の少なくとも一部を、上記反射手段で反射させて上記光モニタに入射させることを特徴とする光ピックアップ装置。
【請求項１０】
請求項９に記載の光ピックアップ装置において、
上記第２光源から出射されて上記ホログラム素子で回折されずに直進する第２レーザ光の光軸と、上記光分離素子の波長選択膜の法線とが成す角度をθａとし、
上記第２光源から出射されて上記ホログラム素子で一次回折して上記反射手段を介して上記光モニタに入射する一次回折光の回折角をθｈとしたとき、
２θａ＋θｈ≒９０°
の条件が成立することを特徴とする光ピックアップ装置。
【請求項１１】
請求項１０に記載の光ピックアップ装置において、
上記第２光源から出射されて上記ホログラム素子で回折されずに直進する第２レーザ光の光軸と、上記光分離素子の波長選択膜の法線とが成す角度であるθａが、
３０°≦θａ≦３７°
の条件を満たし、かつ、上記一次回折光の回折角θｈが、
１１°≦θｈ≦３５°
の条件を満たすことを特徴とする光ピックアップ装置。
【請求項１２】
請求項１１に記載の光ピックアップ装置において、
上記第１光源側の三角プリズムの一側面の少なくとも一部と上記第２光源側の直角プリズムの一側面の少なくとも一部の間に上記波長選択膜を挟んだ状態で、上記三角プリズムの一側面の少なくとも一部と上記第２光源側の直角プリズムの一側面の少なくとも一部とを貼り合わせ、
上記第１光源および上記第２光源から出射される上記第１および第２レーザ光の発散光中に上記光分離素子を配置し
更に、上記反射手段を、上記直角プリズムの上記一側面における上記対物レンズ側に配置することを特徴とする光ピックアップ装置。
【請求項１３】
請求項１２に記載の光ピックアップ装置において、
上記直角プリズムの上記光モニタに対向する側面は、第２光源から出射されて上記反射手段で反射した第２レーザ光のこの側面での反射光を散乱させる光散乱面であることを特徴とする光ピックアップ装置。
【請求項１４】
請求項１に記載の光ピックアップ装置において、
上記反射手段は、誘電体蒸着反射膜または金属蒸着反射膜であることを特徴とする光ピックアップ装置。
【請求項１５】
請求項１に記載の光ピックアップ装置において、
上記反射手段は、反射型回折格子であることを特徴とする光ピックアップ装置。
【請求項１６】
請求項２に記載の光ピックアップ装置において
上記反射手段は、上記第１プリズムの上記一側面と接触しないように上記第２プリズムの上記一側面側の一部に設けられた非接触面であることを特徴とする光ピックアップ装置。
【請求項１７】
請求項１６に記載の光ピックアップ装置において、
上記第２プリズムは、三角プリズムであり、
かつ、上記第１プリズムを三角プリズムの上記非接触面側の角部が上記対物レンズに入射する上記第２レーザ光の光軸と略平行になるように切断された形状にすることにより、上記第２プリズムに上記非接触面を形成したことを特徴とする光ピックアップ装置。
【請求項１８】
請求項１６に記載の光ピックアップ装置おいて、
上記第１および第２プリズムは、三角プリズムであることを特徴とする光ピックアップ装置。
【請求項１９】
請求項１６に記載の光ピックアップ装置において、
上記第１プリズムを、三角プリズムで構成し
上記第２プリズムは、上記第１プリズムとの貼り合わせ面に段部を介して連なる上記第１プリズムと非接触な表面を有することを特徴とする光ピックアップ装置。
【請求項２０】
請求項１６に記載の光ピックアップ装置において、
上記第２プリズムを、三角プリズムで形成し、
上記第１プリズムは、上記第２プリズムとの貼り合わせ面に段部を介して連なる上記第２プリズムと非接触な表面を有することを特徴とする光ピックアップ装置。
【請求項２１】
請求項１６に記載の光ピックアップ装置おいて、
上記第１プリズムを、第１三角プリズムで構成すると共に、上記第２プリズムを第２三角プリズムで構成し、
上記第１三角プリズムの一側面の少なくとも一部と上記第２三角プリズムの一側面の一部とを接着層を介して貼り合わせたことを特徴とする光ピックアップ装置。
【請求項２２】
請求項９に記載の光ピックアップ装置において、
上記第１光源側の第１プリズムの一側面の少なくとも一部と、上記第２光源側の第２プリズムの一側面の少なくとも一部の間に上記波長選択膜を挟んだ状態で、上記第１プリズムの一側面の少なくとも一部と上記第２光源側の第２プリズムの一側面の少なくとも一部とを貼り合わせ、
上記反射手段は、上記第１プリズムの上記一側面と接触しないように上記第２プリズムの上記一側面側の一部に設けられた非接触面であり、
かつ、上記第２プリズムの屈折率をｎとし、上記第１プリズムの上記一側面の法線と、上記ホログラム素子で回折しなかった第２レーザ光の光軸とが成す角をθａとし、かつ、上記第２光源から出射されて上記ホログラム素子で一次回折して上記反射手段を介して上記光モニタに入射する一次回折光の回折角をθｈとしたとき、
ｎ×ｓｉｎ（θａ＋（ｓｉｎ−１（ｓｉｎθｈ／ｎ）））≧１
という関係が成立することを特徴とする光ピックアップ装置。
【請求項２３】
請求項１に記載の光ピックアップ装置において、
平板形状またはくさび形状の透明部材を備え、この透明部材の第１光源に対向する第１の面に上記波長選択膜を配置すると共に、この透明部材の第２光源に対向する第２の面の一部に上記反射手段を配置したことを特徴とする光ピックアップ装置。
【請求項２４】
請求項１に記載の光ピックアップ装置において、
上記光分離素子が、上記第１光源から出射される発散光中に配置され、
上記第１光源から出射される第１レーザ光の上記波長選択膜に対する反射率が、上記波長選択膜の反射手段に対向する領域で最大となることを特徴とする光ピックアップ装置。
【請求項２５】
請求項１に記載の光ピックアップ装置において、
上記第１光源側の三角プリズムの一側面の少なくとも一部と上記第２光源側のプリズムの一側面の少なくとも一部の間に上記波長選択膜を挟んだ状態で、上記三角プリズムの一側面の少なくとも一部と上記第２光源側のプリズムの一側面の少なくとも一部とを貼り合わせ、
上記第２光源側のプリズムは、三角プリズムの上記波長選択膜に対向する角部を切断した形状を有し、
上記反射手段を、三角プリズムの上記波長選択膜に対向する角部を切断したときに生じる切断面に配置したことを特徴とする光ピックアップ装置。
【請求項２６】
請求項２５に記載の光ピックアップ装置において、
上記反射手段は、上記第２光源側のプリズムの素材面であることを特徴とする光ピックアップ装置。
【請求項２７】
請求項２６に記載の光ピックアップ装置において、
上記第２光源と上記反射手段の間に偏光変換手段を備え、
上記第２光源から出射され上記素材面に入射する第２レーザ光の偏光方位を、上記反射手段に対して略Ｓ偏光にすることを特徴とする光ピックアップ装置。
【請求項２８】
請求項２７に記載の光ピックアップ装置において、
上記第２光源から出射される第２のレーザー光の上記反射手段に対する入射角は、ブリュースター角であることを特徴とする光ピックアップ装置。
【請求項２９】
請求項２６に記載の光ピックアップ装置において、
上記第２光源は、ＴＭモード半導体レーザー装置であることを特徴とする光ピックアップ装置。
【請求項３０】
請求項１に記載の光ピックアップ装置において、
上記第１光源側の三角プリズムの一側面の少なくとも一部と上記第２光源側のプリズムの一側面の少なくとも一部の間に上記波長選択膜を挟んだ状態で、上記三角プリズムの一側面の少なくとも一部と上記第２光源側のプリズムの一側面の少なくとも一部とを貼り合わせ、
上記第２光源側のプリズムは、三角プリズムの上記波長選択膜に対向する角部を凹面に切断して研磨した形状を有し、
上記反射手段を、上記凹面に配置したことを特徴とする光ピックアップ装置。
【発明の詳細な説明】
【０００１】
【発明の属する技術分野】
本発明は、複数のレーザ光出射光源を備えた光ピックアップ装置に関する。
【０００２】
【従来の技術】
従来、光ディスクの記録や再生を行う光ピックアップ装置として、２種類の光ディスクに対応するものがある。この種の光ピックアップ装置は、光ディスクの種類に応じて異なる波長のレーザ光を用いる必要がある。例えば、ＣＤとＤＶＤの記録と再生の両方を行う場合には、光ピックアップ装置に、ＣＤに対するデータの書込みと読み出しを行うためのレーザ光を出射する第１のレーザ装置と、ＤＶＤに対するデータの書込みと読み出しを行うためのレーザ光を出射する第２のレーザ装置を搭載する。
【０００３】
図２１に、上記従来の光ピックアップ装置の断面図を示す。この光ピックアップ装置は、データ再生用の波長λ１の第１レーザ光を出射する第１光源２１１と、データ再生用およびデータ記録用の波長λ２の第２レーザ光を出射する第２光源２１２と、光分離素子２１３と、第２光源用光モニタ２１５と、対物レンズ２１４とを備えている。
【０００４】
上記光分離素子２１３を、第１光源２１１側の第１三角プリズム２１６の一側面と第２光源２１２側の第２の３角プリズム２１７の一側面とを波長選択膜２１８を介して貼り合わせることによって形成している。
【０００５】
従来の光ピックアップ装置の上記波長選択膜２１８は、第１光源２１１から出射された波長λ１の第１レーザ光をわずか数％のみしか透過させず、第１光源２１１から出射された波長λ１の第１レーザ光をほとんど反射する一方、第２光源２１２から出射された波長λ２の第２レーザ光をわずか数％のみしか反射させず、第２光源２１２から出射された波長λ２の第２レーザ光をほとんど透過するようになっている。そして、上記波長選択膜２１８で反射した数％の第２レーザ光を第２光源用光モニタ２１５に入射させて、第２光源の光出力の制御を行っている。
【０００６】
上記構成において、上記第１光源２１１から出射された波長λ１の第１レーザ光を使用してデータ読み出し用光ディスク２１０に書き込まれたデータを読み出すときには、第１光源２１１から出射したレーザ光を、波長選択膜２１８で略対物レンズ２１４の方に反射した後、対物レンズ２１４によって光ディスク２１０上の一点に集光する。そして、上記光ディスク２１０上の一点で反射して対物レンズ２１４を再度通過した第１レーザ光から図示しないホログラム素子や受光素子等を用いて光ディスク２１０のデータ（例えば、ピッド情報）を取り出す。尚、この光ピックアップ装置は、第１光源２１１の光出力を制御するために、第１光源２１１から出射されたレーザ光の光量を、第１光源２１１と同一パッケージ内に設けられた第１光源用光モニタ（図示せず）によって検出している。
【０００７】
一方、上記第２光源２１２から出射された波長λ２の第２レーザ光を使用してデータ読み出し用光ディスク２１０（異なる光ディスクであっても、光ディスクには同じ参照番号２１０を付すことにする）に書き込まれたデータを読み出すときには、第２光源２から出射し第２レーザ光を、波長選択膜２１８を透過させた後、対物レンズ２１４によって光ディスク２１０上の一点に集光する。そして、上記光ディスク２１０上の一点で反射して対物レンズ２１４を再度通過した第２レーザ光から図示しないホログラム素子や受光素子等を用いて光ディスクに書き込まれたデータを取り出す。
【０００８】
また、上記第２光源２１２から出射された波長λ２の第２レーザ光を使用してデータ書き込み用光ディスク２１０にデータを書き込むときには、第２光源２１２から出射した第２レーザ光を、波長選択膜２１８を透過させた後、対物レンズ２１４によって光ディスク２１０上の一点に集光することによって、光ディスク２１０にデータを書き込む。尚、この光ピックアップ装置は、第２光源２１２の光出力を制御するために、第２光源２１２から出射されて波長選択膜２１８で反射した数％の第２レーザ光の光量を、第２光源用光モニタ２１５によって検出している。
【０００９】
上記第１光源用光モニターおよび第２光源用光モニタ２１５によって検出された光信号を夫々電気信号に変換して、これらの電気信号を光ピックアップ装置上または光ピックアップ装置外に設けられた図示しない自動出力制御（ＡＰＣ：Ａｕｔｏｍａｔｉｃ　Ｐｏｗｅｒ　Ｃｏｎｔｒｏｌ）回路に入力する。そして、上記第１光源用光モニターおよび第２光源用光モニタ２１５の光信号に対応する自動出力制御回路の夫々の出力を、上記第１および第２光源２１１，２１２にフィードバックして、第１および第２光源２１１，２１２の光出力の制御を行う。
【００１０】
【特許文献１】
特開平１１−３２８７０８号公報
【００１１】
【発明が解決しようとする課題】
しかしながら、上記従来の光ピックアップ装置では、第２光源２１２の光出力を制御するのに第２光源２１２から出射された第２レーザ光の数％を波長選択膜２１８で反射して第２光源用光モニタ２１５に入射するため、波長選択膜２１８を透過して対物レンズ２１４によって光ディスク２１０上に照射される光の光量が、波長選択膜２１８で反射したレーザ光の光量分だけ低下するという問題がある。つまり、第２光源２１２から出射されて光ディスク２１０に入射する第２レーザ光の光量が減少することによって、第２光源２１２から出射された第２レーザ光を用いた光ディスク２１０のデータ再生能力（または光ディスク２１０へのデータ記録能力）が低下するという問題がある。
【００１２】
また、この問題を回避するために、第２光源２１２から出射されたレーザ光の波長選択膜２１８に対する反射率をできるだけ小さな値、例えば、５％程度の小さな値に設計しようとしても以下に示すような問題がある。すなわち、現状の量産技術では、波長選択膜２１８の反射率に±４％程度のばらつきがあるため、例えば、第２光源２１２から出射された第２レーザ光の波長選択膜２１８に対する反射率を５％に設定しようとした場合、上記レーザ光の波長選択膜２１８に対する反射率が１％から９％の幅でばらつくことになる。このことにより、第２光源２１２から出射されて波長選択膜２１８で反射して第２光源用光モニタ２１５に入射する第２レーザ光の光量のダイナミックレンジ（最小値と最大値の比率）が９倍程度の大きなばらつきになって、第２光源２１２の出力光量を正確に検出できないという問題がある。
【００１３】
更に、反射率が小さくなる方向にばらついた場合、第２光源用光モニタ２１５に入射するレーザ光の光量が低下し、第２光源用光モニタ２１５の光信号におけるＳ／Ｎ比（シグナル／ノイズ比）が低下して、第２光源２１２の出力光量が検出しにくくなるという問題がある。
【００１４】
また、第２光源２１２の第２レーザ光の波長λ２が温度変化等により変動すると、波長選択膜２１８による第２レーザ光の波長λ２の反射率が変動して、第２光源用光モニタ２１５への入射光量が変動することになるが、一般に、反射率を上記のように低く設定すると、波長変化による反射率の変動が大きくなるため、第２光源２１２の光量を第２光源用光モニタ２１５で正確に検出できないという問題がある。
【００１５】
更に、従来の光ピックアップ装置では、波長選択膜に入射した第２レーザ光の一部を第２光源用モニタの方に反射するため、光分離素子を構成する一つの三角プリズムに形成された波長選択膜の上に第２レーザ光の一部を反射する反射膜を形成するという手法がとられることもあるが、この場合、波長選択膜上に反射膜を形成する蒸着工程で、下地の波長選択膜に膜応力をあたえて波長選択膜を変質させるといった問題や、上記反射膜の蒸着時の熱や作業取り扱いで下地の波長選択膜にダメージを与えるといった問題が発生し、光ピックアップ装置の光分離素子の生産効率が下がるという問題がある。
【００１６】
そこで、本発明の目的は、光ディスクのデータ再生能力とデータ記録能力に優れ、かつ、レーザ光の光源の出力光量を正確に検出できる生産効率が高い光ピックアップ装置を提供することにある。
【００１７】
【課題を解決するための手段】
上記目的を達成するため、この発明の光ピックアップ装置は、
第１レーザ光を出射する第１光源と、
上記第１レーザ光と波長が異なる第２レーザ光を出射する第２光源と、
上記第１および第２レーザ光を光ディスクのデータ記録面に集光する対物レンズと、
上記第２レーザ光の光量を検出する光モニタと、
上記第１光源から出射された上記第１レーザ光を上記対物レンズの方に反射すると共に、上記第２光源から出射された上記第２レーザ光を透過させて対物レンズに入射させる波長選択膜と、この波長選択膜と接触しないように形成されると共に、上記第２光源から出射された上記第２レーザ光を上記光モニタの方に反射する反射手段とを有する光分離素子と
を備えることを特徴としている。
【００１８】
尚、この明細書では、上記「この波長選択膜と接触しないように形成される」という表現は、波長選択膜と反射手段とを別部材に形成して、波長選択膜を形成した部材と反射手段を形成した部材とを貼り合わせることによって上記光分離素子を形成する場合、波長選択膜を形成した部材と反射手段を形成した部材とを貼り合わせたときに、波長選択膜と反射手段が接触する場合も含むものとする。
【００１９】
上記構成において、上記第１光源から出射された第１レーザ光を使用して光ディスク（データ読み取り用）のデータ記録面に書き込まれたデータを読み出すときには、第１光源から出射したレーザ光を、上記波長選択膜で対物レンズの方に反射した後、対物レンズによって光ディスクのデータ記録面に集光する。そして、光ディスクのデータ記録面で反射して対物レンズを再度通過したレーザ光から例えばホログラム素子や受光素子等の光学手段を用いて光ディスクのデータ（例えば、ピッド情報）を取り出す。
【００２０】
また、上記第１光源から出射された第１レーザ光を使用して光ディスク（データ書き込み用）にデータを書き込むときには、第１光源から出射したレーザ光を、波長選択膜で対物レンズの方に反射した後、対物レンズによって光ディスクのデータ記録面に集光することによって、光ディスクにデータを書き込む。
【００２１】
尚、データ書き込み用光ディスクにデータを書き込むときの第１光源の出射光量は、通常データ読み出し用光ディスクからデータを読み込むときの第１光源の出射光量よりも大きく、第１光源の出射光量を制御する必要がある。このため、第１光源の出射光量を、例えば、第１光源のパッケージの中に設けられた第１光源用光モニタで検出した後、この出射光量を電気信号に変換して、この電気信号を光ピックアップ装置上または光ピックアップ装置外に設けられた自動出力制御回路に入力しする。そして、この自動出力制御回路からの出力を、上記第１光源にフィードバックして、第１光源の光出力の制御を行う。
【００２２】
一方、上記第２光源から出射された第２レーザ光を使用して光ディスク（データ読み出し用）に書き込まれたデータを読み出すときには、第２光源から出射したレーザ光を、波長選択膜を透過させた後、対物レンズによって光ディスクのデータ記録面に集光する。そして、上記光ディスク上のデータ記録面で反射して対物レンズを再度通過した光から、例えば、ホログラム素子や受光素子等の光学手段を用いて光ディスクのデータ記録面に書き込まれたデータを取り出す。
【００２３】
また、上記第２光源から出射された第２レーザ光を使用して光ディスク（データ書き込み用）にデータを書き込むときには、第２光源から出射した第２レーザ光を、波長選択膜を透過させた後、対物レンズによって光ディスク上のデータ記録面に集光することによって、光ディスクにデータを書き込む。
【００２４】
尚、第１光源と同様に第２光源においても、データ書き込み用光ディスクにデータを書き込むときの第２光源の出射光量は、通常データ読み出し用光ディスクからデータを読み出すときの第２光源の出射光量よりも大きく、第２光源の出射光量を制御する必要がある。このため、第２光源から出射されて上記反射手段に入射した第２レーザ光を、反射手段で光モニタの方へ反射して、光モニタに入射した第２レーザ光の光量を検出する。その後、光モニタに入射した第２レーザ光の光量を電気信号に変換して、この電気信号を上記自動出力制御回路に入力する。そして、この自動出力制御回路からの出力を、上記第２光源にフィードバックして、第２光源の光出力の制御を行う。
【００２５】
この発明の光ピックアップ装置によれば、波長選択膜と反射手段が接触しないように配置されるので、波長選択膜と反射手段の位置を適切に調整することにより、第２光源から出射されて波長選択膜に入射した第２レーザ光を全て対物レンズの方に透過させることができる。したがって、従来の光ピックアップ装置のように第２レーザ光を波長選択膜で数％反射する必要がないので、対物レンズを介して光ディスクのデータ記録面に集光する第２レーザ光の光量を増やすことができて、光ディスクのデータ再生能力とデータ記録能力を向上させることができる。
【００２６】
また、上記波長選択膜と上記反射手段とが接触しないように光分離素子を形成したので、波長選択膜と反射手段とを別工程で形成できる。したがって、三角プリズムの一側面に波長選択膜を形成した後、反射手段である反射膜を波長選択膜の上に形成するという従来の光ピックアップ装置で生じる問題点、すなわち、反射手段である反射膜を形成する蒸着工程で下地の波長選択膜に膜応力をあたえて波長選択膜を変質させるといった問題、または、上記反射膜の蒸着時の熱や作業取り扱いで下地の波長選択膜にダメージを与えるといった問題を回避できて、光分離素子の製造歩留まりを向上できて、光分離素子の製造コストを低減できる。
【００２７】
また、一実施形態の光ピックアップ装置は、上記第１光源側の第１プリズムの一側面の少なくとも一部と上記第２光源側の第２プリズムの一側面の少なくとも一部の間に上記波長選択膜を挟んだ状態で、上記第１プリズムの一側面の少なくとも一部と上記第２光源側の第２プリズムの一側面の少なくとも一部とを貼り合わせ、上記反射手段を、上記第２プリズムに配置することを特徴としている。
【００２８】
尚、この明細書では、プリズムを、ガラス、アクリル、水晶、樹脂材料、合成石英またはＢＫ−７等の透明物質からなる略角柱体状（角柱体の側面の少なくとも一つが曲面であっても良い）の物体として定義し、三角プリズムを、角柱体の柱方向に垂直な方向の断面が略一定な面積の三角形であるプリズムとして定義する。また、この明細書では、直角プリズムを、角柱体の柱方向に垂直な方向の断面が略一定な面積の直角三角形であるプリズムとして定義する。また、この明細書で「側面」という言葉を用いた場合、この側面はプリズムにおける柱方向に広がる面を意味するものとする。
【００２９】
上記実施形態の光ピックアップ装置によれば、上記第１光源側の第１プリズムの一側面の少なくとも一部と、上記第２光源側の第２プリズムの一側面の少なくとも一部とを貼り合わせる前に、上記波長選択膜を、上記第１プリズムに配置すると共に、上記反射手段を、上記第プリズムと別部材の上記第２プリズムに配置することもできる。したがって、上記第１プリズムに波長選択膜を形成する工程と上記第２プリズムに反射手段を形成する工程とを同時に行うことができて、光分離素子の生産性を高めることができる。また、波長選択膜を形成する部材と、反射手段を形成する部材を別部材としたので、光分離素子の製造歩留まりを更に向上して、光分離素子の製造コストを更に低減できる。
【００３０】
また、一実施形態の光ピックアップ装置は、上記第１および第２プリズムは三角プリズムであることを特徴としている。
【００３１】
上記実施形態の光ピックアップ装置によれば、上記第１および第２プリズムが、安価な三角プリズムであるので、光分離素子のコストを抑制できる。
【００３２】
また、一実施形態の光ピックアップ装置は、上記波長選択膜が配置された上記第１三角プリズム一側面と、上記反射手段が配置された上記第２三角プリズムの一側面とを、接着剤で貼り合わせたことを特徴とする。
【００３３】
上記実施形態の光ピックアップ装置によれば、波長選択膜の反射率および透過率等の光学特性は、波長選択膜の膜組成の屈折率と膜に接する部材のみの屈折率に依存することにより、波長選択膜と反射手段とを直接接触させずに、波長選択膜と反射手段との間に上記接着剤で構成される接着層を介在させることによって、波長選択膜の光学特性を反射手段と独立に（反射手段に依存することなく）設定できる。したがって、第２光源の第２レーザ光を第２光源用モニタに反射する反射手段の形成位置や材質に、選択自由度が生じることになり、この結果、光モニタの配置位置にも選択自由度が生じるので、これらの選択自由度を有効に使って光ピックアップ装置の小型化を実現できる。
【００３４】
また、一実施形態の光ピックアップ装置は、上記波長選択膜が、上記第１レーザ光を略全反射すると共に、上記第２レーザ光を略全て透過することを特徴としている。
【００３５】
上記実施形態の光ピックアップ装置によれば、上記波長選択膜は、第１レーザ光に対し略１００％の反射率を有するので、第１光源から出射されて波長選択膜で反射した後、対物レンズで集光されて光ディスクのデータ記録面に到達する第１レーザ光の光量を大きくすることができる。また、上記波長選択膜は、上記第２レーザ光を略全て透過するので、第２光源から出射されて波長選択膜を透過して対物レンズで集光されて光ディスクのデータ記録面に到達する第２レーザ光の光量を大きくすることができる。したがって、光ピックアップ装置の光ディスクへのデータ書き込み性能および光ピックアップ装置の光ディスクからのデータ読みとり性能を向上できる。
【００３６】
また、一実施形態の光ピックアップ装置は、上記第１光源から出射されて上記波長選択膜で反射され、更に、上記対物レンズに入射する第１レーザ光の上記波長選択膜における入射部分の上記光ディスクに対する射影における第１レーザ光の光束径が、上記第２光源から出射されて上記波長選択膜で透過して上記対物レンズに入射する第２レーザ光の上記波長選択膜における入射部分の上記光ディスクに対する射影における第２レーザ光の光束径よりも大きいことを特徴としている。
【００３７】
上記実施形態の光ピックアップ装置によれば、上記第１光源から出射されて上記波長選択膜で反射され、更に、上記対物レンズに入射する第１レーザ光の上記波長選択膜における入射部分の上記光ディスクに対する射影における第１レーザ光の光束径を、上記第２光源から出射されて上記波長選択膜で透過して上記対物レンズに入射する第２レーザ光の上記波長選択膜における入射部分の上記光ディスクに対する射影における第２レーザ光の光束径よりも大きくしたので、第２レーザ光の反射手段の面積を大きくすることができる。したがって、第２光源から出射されて光モニタに入射する第２レーザ光の光量を大きくすることができるので、光モニタから出力された信号のＳ／Ｎ比を向上できて、第２光源の出射出力を正確に検出できる。
【００３８】
また、一実施形態の光ピックアップ装置は、上記第１レーザ光を略全反射させると共に、上記第２レーザ光を略全て透過する素材で上記波長選択膜を形成し、上記第１光源および上記第２光源から出射される発散光中に上記光分離素子を配置し、かつ、上記光分離素子内を進む第１光源から出射された第１レーザ光の光路長を、上記光分離素子内を進む第２光源から出射された第２レーザ光の光路長より長くすることを特徴としている。
【００３９】
上記実施形態の光ピックアップ装置によれば、上記光分離素子内を進む第１光源から出射された第１レーザ光の光路長が、上記光分離素子内を進む第２光源から出射された第２レーザ光の光路長よりも長くなるようにしたので、第２光源から出射された第２レーザ光の対物レンズによる集光点を、第１光源から出射された第１レーザ光の対物レンズによる集光点よりも光分光素子からに遠い側に位置させることができる。したがって、光ピックアップ装置で使用する２種類の光ディスク（以下、第１光ディスク、第２光ディスクという）の基板の厚みに違いがあり、対物レンズと第１光ディスクの基板の間の距離（第１の距離ということにする）と、対物レンズと第２光ディスクの基板の間の距離（第２の距離ということする）に違いが生じても、上記二つの集光点の距離を、上記第１の距離と第２の距離の差に調整することによって、光ディスクの基板の厚さの違いに対処できる。したがって、上記集光点の位置の違いに対処するのに、対物レンズの動作範囲を大きくする方法で対処する必要がないので、光ピックアップ装置をコンパクトに構成することができる。
【００４０】
また、一実施形態の光ピックアップ装置は、上記第１光源および上記第２光源から出射される上記第１および第２レーザ光の発散光中に上記光分離素子を配置し、かつ、上記反射手段を、第２光源に近接しない位置に配置したことを特徴としている。
【００４１】
上記実施形態の光ピックアップ装置によれば、上記反射手段を、上記第２光源に近接しない位置に適切に配置することによって、第２レーザ光の反射手段への入射角θを大きくすることができる。したがって、第２光源用光センサを、第２光源に遠い位置に配置することができるので、通常のように第２光源として半導体レーザを採用した場合でも、放熱や耐環境性のために半導体レーザの周囲を覆っている半導体レーザの金属等のパッケージを、光モニタから離れた位置に配置できる。したがって、光ピックアップ装置をコンパクトにできる。
【００４２】
また、一実施形態の光ピックアップ装置は、上記第２光源と上記光分離素子の間にホログラム素子を備え、上記第２光源から出射されて上記ホログラム素子で回折した回折光の少なくとも一部を、上記反射手段で反射させて上記光モニタに入射させることを特徴としている。
【００４３】
上記実施形態の光ピックアップ装置によれば、上記第２光源と上記光分離素子の間にホログラム素子を備え、上記第２光源から出射されて上記ホログラム素子で回折した回折光の少なくとも一部を、上記反射手段で反射させて上記光モニタに入射させるようにし、第２光源の出射光量を検出する光モニタに入射させる第２レーザ光として、第２光源から出射されてホログラム素子パターンで回折した回折光を用いたので、第２光源から出射された第２レーザ光のうち、強度のより強い中心付近のレーザ光を光モニタに導くことができる。したがって、光モニタのＳ／Ｎ比を向上させて第２光源の出射光量を正確に検出できる。
【００４４】
また、一実施形態の光ピックアップ装置は、上記第２光源から出射されて上記ホログラム素子で回折されずに直進する第２レーザ光の光軸と、上記光分離素子の波長選択膜の法線とが成す角度をθａとし、上記第２光源から出射されて上記ホログラム素子で一次回折して上記反射手段を介して上記光モニタに入射する一次回折光の回折角をθｈとしたとき、２θａ＋θｈ≒９０°の条件が成立することを特徴としている。
【００４５】
上記実施形態の光ピックアップ装置によれば、上記第２光源から出射されて上記ホログラム素子で回折されずに直進する第２レーザ光の光軸と、上記光分離素子の波長選択膜の法線とが成す角度をθａとし、上記第２光源から出射されて上記ホログラム素子で一次回折して上記反射手段を介して上記光モニタに入射する一次回折光の回折角をθｈとしたとき、２θａ＋θｈ≒９０°の条件が成立するようにしたので、反射手段で反射して光モニタに入射する第２レーザ光と、第２光源から出射されてホログラム素子で回折されない０次光とが成す角を略９０°にすることができる。したがって、第２レーザ光を光モニタの受光面に対して垂直に入射させることが容易にできて、上記受光面の単位面積当たりの第２レーザ光の入射光量を極大にすることができるので、光モニタから出力される信号のＳ／Ｎ比を向上させて、第２光源の出射光量を正確に検出できる。
【００４６】
また、光モニタを０次光の光軸に対して平行に設置することにより、光ピックアップ装置内の部品配置に自由が生まれるため、光ピックアップ装置の小型化を図ることができる。
【００４７】
また、一実施形態の光ピックアップ装置は、上記第２光源から出射されて上記ホログラム素子で回折されずに直進する第２レーザ光の光軸と、上記光分離素子の波長選択膜の法線とが成す角度であるθａが、３０°≦θａ≦３７°の条件を満たし、かつ、上記一次回折光の回折角θｈが、１１°≦θｈ≦３５°の条件を満たすことを特徴としている。
【００４８】
上記実施形態の光ピックアップ装置によれば、上記θｈに１１°≦θｈ≦３５°の条件をかしているので、光ディスクにデータを書き込んだり光ディスクのデータを読み出したりする０次光ではない回折光が光ディスクに照射されて不要な迷光になることを避ける観点からは大きい角度にする方が良い一方、ホログラム素子のホログラムパターンを微細化する必要がない量産性の観点からは小さい角度にする方が良いθｈの値のバランスを取ることができる。また、上記θａに３０°≦θａ≦３７°の条件をかしているので、波長選択膜で反射される第１光源の光の波面を良好にするθａを０°（垂直入射角度）に近づける条件と、１１°≦θｈ≦３５°の条件と、２θａ＋θｈ≒９０°の条件とのバランスを取ることができる。したがって、光ピックアップ装置を、高品質なものにすることができる。
【００４９】
また、一実施形態の光ピックアップ装置は、上記第１光源側の三角プリズムの一側面の少なくとも一部と上記第２光源側の直角プリズムの一側面の少なくとも一部の間に上記波長選択膜を挟んだ状態で、上記三角プリズムの一側面の少なくとも一部と上記第２光源側の直角プリズムの一側面の少なくとも一部とを貼り合わせ、上記第１光源および上記第２光源から出射される上記第１および第２レーザ光の発散光中に上記光分離素子を配置し、更に、上記反射手段を、上記直角プリズムの上記一側面における上記対物レンズ側に配置する事を特徴としている。
【００５０】
上記実施形態の光ピックアップ装置によれば、第２光源側のプリズムを加工が容易で量産に適した直角プリズムで構成したので、コストを低減することができる。
【００５１】
また、第２光源側のプリズムを直角プリズムにしたので、第２光源から出射されホログラム素子で回折し、更に、反射手段で反射した第２レーザ光の方向を、直角プリズムの光モニタ側の側面の法線方向と一致させることができる。したがって、第２レーザ光がこの側面で屈折することがないので、光モニタの配置に関して、第２レーザ光の屈折による位置のずれを考慮する必要がなく、光ピックアップ装置の設計を簡素化することができる。
【００５２】
また、一実施形態の光ピックアップ装置は、上記直角プリズムの光モニタに対向する側面は、第２光源から出射されて反射手段で反射した第２レーザ光のこの側面での反射光を散乱させる光散乱面であることを特徴としている。
【００５３】
上記実施形態の光ピックアップ装置によれば、上記直角プリズムの光モニタに対向する側面を、第２光源から出射されて反射手段で反射した第２レーザ光のこの側面での反射光を散乱させる光散乱面にしたので、反射手段で反射した後、側面を透過しないわずかな第２レーザ光を散乱させて発散できる。したがって、通常、上記光モニタ側の側面に反射防止膜（ＡＲコート）を設けても、０．５〜１％程度の反射率で垂直に反射した第２レーザ光が、側面に入射した経路を略逆向きに光学系に戻って不要な迷光となる現象を防止でき、光ディスクの記録再生特性の悪化を防止して、光ピックアップ装置の動作の安定化を図ることができる。
【００５４】
また、一実施形態の光ピックアップ装置は、上記反射手段が、誘電体蒸着反射膜または金属蒸着反射膜であることを特徴としている。
【００５５】
上記実施形態の光ピックアップ装置によれば、上記反射手段が、誘電体蒸着反射膜または金属蒸着反射膜であるので、第２光源から出射された第２レーザ光の波長が温度変化等によって変化しても、反射率が影響を受けることがなくて、光モニタで第２光源の光量を正確に検出することができる。
【００５６】
また、一実施形態の光ピックアップ装置は、上記反射手段が、反射型回折格子であることを特徴としている。
【００５７】
上記実施形態の光ピックアップ装置によれば、反射手段を反射型回折格子で構成したので、格子ピッチを変えることによって、第２レーザ光の反射角度を簡単に調整できる。したがって、第２光源から光モニタに至る光学部品の配置に選択自由度が生じ、光ピックアップ装置をコンパクトにすることができる。
【００５８】
また、一実施形態の光ピックアップ装置は、上記反射手段は、上記第１プリズムの上記一側面と接触しないように上記第２プリズムの上記一側面側の一部に設けられた非接触面であることを特徴としている。
【００５９】
上記実施形態の光ピックアップ装置によれば、上記反射手段は、上記第１プリズムの上記一側面と接触しないように上記第２プリズムの上記一側面側の一部に設けられた非接触面であるので、第２光源から出射された第２レーザ光が、上記上記非接触面で反射して光モニタに入射するように上記非接触面の位置を調整することよって、反射手段を簡単安価に形成できる。したがって、光分離素子のコストを低減でき、かつ、光分離素子の量産性を高めることができる。
【００６０】
また、一実施形態の光ピックアップ装置は、上記第２プリズムは、三角プリズムであり、かつ、上記第１プリズムを三角プリズムの上記非接触面側の角部が上記対物レンズに入射する上記第２レーザ光の光軸と略平行になるように切断された形状にすることにより、上記第２プリズムに上記非接触面を形成したことを特徴としている。
【００６１】
上記実施形態の光ピックアップ装置によれば、上記第１プリズムを三角プリズムの上記非接触面側の角部が上記対物レンズに入射する上記第２レーザ光の光軸と略平行になるように切断された形状にしたので、光分離素子における第１および第２レーザ光が出射する第１プリズムの第１および第２レーザ光出射面の面積を大きくすることができる。したがって、第１および第２レーザ光が上記第１および第２レーザ光出射面で散乱することを防止できるので、第１および第２レーザ光を確実に対物レンズに入射させることができて、光ディスクのデータ再生能力およびデータ記録能力を向上できる。また、反射手段である上記非接触面の面積を大きくすることができるので、光モニタへ入射する第２レーザ光の光量を大きくすることができる。
【００６２】
また、一実施形態の光ピックアップ装置は、上記第１および第２プリズムは、三角プリズムであることを特徴としている。
【００６３】
上記実施形態の光ピックアップ装置によれば、上記第１および第２プリズムは、三角プリズムであるので、三角プリズムを切断加工することなく、上記非接触面を形成できる。すなわち、同じ形状の二つの三角プリズムの二つの同一側面を適切にずらして貼り合わせる等の方法を使用して、反射手段としての上記非接触面を簡単安価に形成できる。したがって、光分離素子の製造コストをいっそう低減できる。
【００６４】
また、一実施形態の光ピックアップ装置は、上記第１プリズムを、三角プリズムで構成し、上記第２プリズムは、上記第１プリズムとの貼り合わせ面に段部を介して連なる上記第１プリズムと非接触な表面を有することを特徴としている。
【００６５】
上記実施形態の光ピックアップ装置によれば、上記第１プリズムを、三角プリズムで構成し、上記第２プリズムは、上記第１プリズムとの貼り合わせ面に段部を介して連なる上記第１プリズムと非接触な表面を有しているので、上記非接触な表面を適切に加工して第２レーザ光の上記非接触な表面への入射角度を調整することによって、光モニタの配置場所を光ピックアップ装置の小型化に都合のいい場所に簡単に調整することができる。
【００６６】
また、一実施形態の光ピックアップ装置は、上記第２プリズムを、三角プリズムで形成し、上記第１プリズムは、上記第２プリズムとの貼り合わせ面に段部を介して連なる上記第２プリズムと非接触な表面を有することを特徴としている。
【００６７】
上記実施形態の光ピックアップ装置によれば、上記第１プリズムは、上記第２プリズムとの貼り合わせ面に段部を介して連なる上記第２プリズムと非接触な表面を有するので、上記段部の第２光源側のエッジ部が、第２レーザ光を散乱させることがない。したがって、光ピックアップ装置の中での不要な迷光の発生を抑制できる。
【００６８】
また、一実施形態の光ピックアップ装置は、上記第１プリズムを、第１三角プリズムで構成すると共に、上記第２プリズムを第２三角プリズムで構成し、上記第１三角プリズムの一側面の少なくとも一部と上記第２三角プリズムの一側面の一部とを接着層を介して貼り合わせたことを特徴としている。
【００６９】
上記実施形態の光ピックアップ装置によれば、上記第１三角プリズムの一側面の少なくとも一部と上記第２三角プリズムの一側面の一部とを接着層を介して貼り合わせたので、反射手段である第２三角プリズムの非接触面を形成するのに三角プリズムを切断加工する必要がない。したがって、光分離素子を簡単安価に製造できる。
【００７０】
また、一実施形態の光ピックアップ装置は、上記第１光源側の第１プリズムの一側面の少なくとも一部と、上記第２光源側の第２プリズムの一側面の少なくとも一部の間に上記波長選択膜を挟んだ状態で、上記第１プリズムの一側面の少なくとも一部と上記第２光源側の第２プリズムの一側面の少なくとも一部とを貼り合わせ、上記反射手段は、上記第１プリズムの上記一側面と接触しないように上記第２プリズムの上記一側面側の一部に設けられた非接触面であり、かつ、上記第２プリズムの屈折率をｎとし、上記第１プリズムの上記一側面の法線と、上記ホログラム素子で回折しなかった第２レーザ光の光軸とが成す角をθａとし、かつ、上記第２光源から出射されて上記ホログラム素子で一次回折して上記反射手段を介して上記光モニタに入射する一次回折光の回折角をθｈとしたとき、ｎ×ｓｉｎ（θａ＋（ｓｉｎ−１（ｓｉｎθｈ／ｎ）））≧１という関係が成立することを特徴としている。
【００７１】
上記実施形態の光ピックアップ装置によれば、上記ｎ、θｈおよびθａの間に、ｎ×ｓｉｎ（θａ＋（ｓｉｎ−１（ｓｉｎθｈ／ｎ）））≧１という関係を設定したので、ホログラム素子で回折した第２レーザ光の一次回折光を、上記非接触面で略１００％反射させることができる。したがって、光モニタに入射する第２レーザ光の光量を大きくすることができる。
【００７２】
また、一実施形態の光ピックアップ装置は、平板形状またはくさび形状の透明部材を備え、この透明部材の第１光源に対向する第１の面に上記波長選択膜を配置すると共に、この透明部材の第２光源に対向する第２の面の一部に上記反射手段を配置したことを特徴としている。
【００７３】
上記実施形態の光ピックアップ装置によれば、平板形状またはくさび形状の透明部材を備え、この透明部材の第１光源に対向する第１の面に上記波長選択膜を配置すると共に、この透明部材の第２光源に対向する第２の面の一部に上記反射手段を配置したので、光分離素子を二つの別部材で形成した場合と同様に、三角プリズムの一側面に波長選択膜を形成した後、反射膜を波長選択膜の上に形成するという従来の方法で生じる問題点、すなわち、反射膜を形成する蒸着工程で下地の波長選択膜に膜応力をあたえて波長選択膜を変質させるといった問題、または、反射膜の蒸着時の熱や作業取り扱いで下地の波長選択膜にダメージを与えるといった問題を回避できて、平板形状またはくさび形状の透明部材の製造歩留まりを向上できて、光ピックアップ装置の製造コストを低減できる。
【００７４】
また、一体部材の平行平板型のプリズムから光分離素子を形成するので、二つのプリズムを貼り合わせたタイプの光分離素子と比較して、貼り合わせ工程を省略できると共に、光学研磨面を第１および第２光源に対向する２つの面だけにすることができる。したがって、光分離素子の製造コストを格段に低減できる。
【００７５】
また、一実施形態の光ピックアップ装置は、上記光分離素子が、上記第１光源から出射される発散光中に配置され、上記第１光源から出射される第１レーザ光の上記波長選択膜に対する反射率が、上記波長選択膜の反射手段に対向する領域で最大となることを特徴としている。
【００７６】
上記実施形態の光ピックアップ装置によれば、上記第１光源から出射される第１レーザ光の上記波長選択膜に対する反射率が、上記波長選択膜の反射手段に対向する領域で最大となるので、波長選択膜を透過するわずかな第１レーザ光を、上記波長選択膜の反射手段に対向する領域で最小にすることができる。したがって、第１光源から出射されて波長選択膜を透過した僅かな第１レーザ光が、反射手段に達して、この反射手段で反射して迷光となったり、上記波長選択膜の反射手段に対向する領域で反射した第１レーザ光の光束の波面が乱れるという問題を回避して、第１レーザ光の光束の波面収差を良好に保つことができる。尚、波長選択膜を透過する第１レーザ光のうち、波長選択膜の第２光源側を透過するわずかな第１レーザ光は、光分離素子を透過するだけで問題を引き起こすことはない。
【００７７】
また、一実施形態の光ピックアップ装置は、上記第１光源側の三角プリズムの一側面の少なくとも一部と上記第２光源側のプリズムの一側面の少なくとも一部の間に上記波長選択膜を挟んだ状態で、上記三角プリズムの一側面の少なくとも一部と上記第２光源側のプリズムの一側面の少なくとも一部とを貼り合わせ、上記第２光源側のプリズムは、三角プリズムの上記波長選択膜に対向する角部を切断した形状を有し、上記反射手段を、三角プリズムの上記波長選択膜に対向する角部を切断したときに生じる切断面に配置したことを特徴としている。
【００７８】
上記実施形態の光ピックアップ装置によれば、上記反射手段を、上記第２光源側のプリズムにおける三角プリズムの上記波長選択膜に対向する角部を切断したときに生じる切断面に配置したので、波長選択膜と上記反射手段とを二つのプリズムの貼り合わせ面または貼り合わせ面近傍に配置した場合と比較して、第２光源２から出射されて反射手段に入射する第２レーザ光の反射手段に対する入射角を波長選択膜の位置とは無関係に自由に設定できる。したがって、光モニタの配置場所に自由度が生じ、光ピックアップ装置の小型化が可能となる。
【００７９】
また、一実施形態の光ピックアップ装置は、上記反射手段は、上記第２光源側のプリズムの素材面であることを特徴としている。
【００８０】
上記実施形態の光ピックアップ装置によれば、上記反射手段が、上記第２光源側のプリズムの素材面であるので、第２光源側のプリズムの一部を切断して研磨するだめで簡単に反射手段を形成できる。したがって、反射手段が配置された第２光源側のプリズムの製造コストを低減できる。
【００８１】
また、一実施形態の光ピックアップ装置は、上記第２光源と上記反射手段の間に偏光変換手段を備え、上記第２光源から出射され上記素材面に入射する第２レーザ光の偏光方位を、上記反射手段に対して略Ｓ偏光にすることを特徴としている。
【００８２】
上記実施形態の光ピックアップ装置によれば、上記第２光源から出射され上記素材面に入射する光の偏光方位が、上記反射手段に対して略Ｓ偏光となるように、上記第２光源と上記反射手段の間に偏光変換手段が備えられたので、反射手段に入射する第２レーザ光が略Ｓ偏光になる。したがって、Ｓ偏光の反射率はＰ偏光の反射率よりも高くなることから、より多くの第２レーザ光を光モニタに導くことができることになる。
【００８３】
また、一実施形態の光ピックアップ装置は、第２光源から出射される第２のレーザー光の上記反射手段に対する入射角は、ブリュースター角であることを特徴としている。
【００８４】
上記実施形態の光ピックアップ装置によれば、第２光源から出射される第２のレーザー光の上記反射手段に対する入射角は、ブリュースター角であるので、反射手段でのＰ偏光の反射率をゼロにすることができる。したがって、光ディスク上に集光される光は、第２レーザ光の中の同波長および同位相のＳ偏光成分（誘導放出成分）であるので、第２光源から出射される第２レーザ光にわずかに含まれるＰ偏光成分である自然放出成分を光モニタに入射しないようにすることができる。したがって、実際に光ディスクにデータを記録したり光ディスクのデータを読み出したりするときに使用する第２レーザ光の誘導放出成分の出射出力のみを光モニタで検出することができる。
【００８５】
また、一実施形態の光ピックアップ装置は、上記第２光源が、ＴＭモード半導体レーザー装置であることを特徴している。
【００８６】
上記実施形態の光ピックアップ装置によれば、第２光源が、ＴＭモード半導体レーザー装置であるので、偏光変換手段を用いて反射手段にＳ偏光を入射させる場合と比較して、比較的高価な偏光変換手段を省略できて、簡単安価に反射手段にＳ偏光を入射させることができる。
【００８７】
また、偏光変換手段を省略できるので、光ピックアップ装置をコンパクトにできる。
【００８８】
また、一実施形態の光ピックアップ装置は、上記第１光源側の三角プリズムの一側面の少なくとも一部と上記第２光源側のプリズムの一側面の少なくとも一部の間に上記波長選択膜を挟んだ状態で、上記三角プリズムの一側面の少なくとも一部と上記第２光源側のプリズムの一側面の少なくとも一部とを貼り合わせ、上記第２光源側のプリズムは、三角プリズムの上記波長選択膜に対向する角部を凹面に切断して研磨した形状を有し、上記反射手段を、上記凹面に配置したことを特徴としている。
【００８９】
上記実施形態の光ピックアップ装置によれば、上記反射手段を上記凹面に配置したことによって、第２光源から出射された第２レーザ光である発散光を、上記凹面で光モニタの受光面の方へ反射できると共に、上記凹面の作用により光モニタの受光面上で収束させることができる。したがって、光モニタにより大きい光量の第２レーザ光を入射させることができる。
【００９０】
【発明の実施の形態】
以下、本発明を図示の実施の形態により詳細に説明する。
【００９１】
（第１実施形態）
図１は、第１実施形態の光ピックアップ装置の断面図である。第１実施形態の光ピックアップ装置は、波長λ１の第１レーザ光を出射する第１光源１と、波長λ２の第２レーザ光を出射する第２光源２と、光分離素子３と、対物レンズ４と、第２光源用光モニタ５と、図示しない自動出力制御（ＡＰＣ：Ａｕｔｏｍａｔｉｃ　Ｐｏｗｅｒ
Ｃｏｎｔｒｏｌ）回路とを備える。
【００９２】
上記第１光源１のパッケージ内に、第１光源１の光量を測定する図示しない第１光源用光モニタを設けている。
【００９３】
また、上記光分離素子３を、ガラス製の第１光源１側の三角プリズム６とガラス製の第２光源２側の三角プリズム７から形成している。詳細には、上記光分離素子３を、第１光源１側の三角プリズム６の一側面と、第２光源側の第２三角プリズム７の一側面とを接着剤で貼り合わせることによって形成している。
【００９４】
上記三角プリズム６の上記一側面の略全面に波長選択膜８を形成している。この波長選択膜８は、第１光源１から出射される波長λ１の第１レーザ光を対物レンズ４の方へ略１００％反射させると共に、第２光源２から出射される波長λ２の第２レーザ光を略１００％透過させて対物レンズ４に入射させるように設計されている。
【００９５】
一方、上記三角プリズム７の一側面の対物レンズ４側の一部に、反射手段の一例としての反射膜９を形成している。上記反射膜９は、第２光源２から出射されて反射膜９に入射した第２レーザ光を第２光源用光モニタ５の方へ反射させるように設計されている。この反射膜９は、入射する第２レーザ光の波長が温度変化などによって変動しても反射率が影響を受けにくく、かつ、高い反射率を有するＡｌ等の金属を蒸着させた金属蒸着反射膜を表面に有するミラー、または、誘電体を蒸着した誘電体蒸着反射膜を表面に有するミラー等で構成されている。
【００９６】
図２は、光分離素子３における三角プリズム６と三角プリズム７の貼り合わせ面付近の拡大図である。
【００９７】
図２に示すように、波長選択膜８と反射膜９とは、接着剤１４を介して対向するように貼り合わされており、波長選択膜８と反射膜９とは、直接接触しないような構造になっている。そして、反射膜９は、波長選択膜８を経由して対物レンズ４に入射する上記第１および第２レーザ光と接触しないような場所に配置されている。
【００９８】
上記構成において、上記第１光源１から出射された波長λ１の第１レーザ光を使用してデータ読み出し用光ディスク１０（この発明の実施形態の説明では、光ディスクの違いによらず、光ディスクには全て参照番号１０を付す）に書き込まれたデータを読み出すときには、第１光源１から出射した第１レーザ光を、波長選択膜８で略対物レンズ４の方に反射した後、対物レンズ４によって光ディスク１０上の一点に集光する。そして、上記光ディスク１０上の一点で反射して対物レンズ４を再度通過した第１レーザ光から図示しないホログラム素子や受光素子等を用いて光ディスク１０のデータ（例えば、ピッド情報）を取り出す。
【００９９】
また、上記第１光源１から出射された波長λ１の第１レーザ光を使用してデータ書き込み用光ディスク１０にデータを書き込むときには、第１光源１から出射した第１レーザ光を、波長選択膜８で略対物レンズ４の方に反射した後、対物レンズ４によって光ディスク１０上の一点に集光することによって、光ディスク１０にデータを書き込む。
【０１００】
尚、データ書き込み用光ディスク１０にデータを書き込むときの第１光源１の出射光量は、データ読み出し用光ディスク１０からデータを読み込むときの第１光源１の出射光量よりも通常大きく、第１光源１の出射光量を制御する必要がある。このため、第１光源１の出射光量を、上記第１光源用光モニタで検出した後、電気信号に変換して、この電気信号を光ピックアップ装置上または光ピックアップ装置外に設けられた図示しない上記自動出力制御回路に入力する。そして、この自動出力制御回路からの出力を、上記第１光源１にフィードバックして、第１光源１の光出力の制御を行う。
【０１０１】
一方、上記第２光源２から出射された波長λ２の第２レーザ光を使用してデータ読み出し用光ディスク１０に書き込まれたデータを読み出すときには、第２光源２から出射した第２レーザ光を、波長選択膜８を透過させた後、対物レンズ４によって光ディスク１０上の一点に集光する。そして、上記光ディスク１０上の一点で反射して対物レンズ４を再度通過した第２レーザ光から図示しないホログラム素子や受光素子等を用いて光ディスク１０に書き込まれたデータを取り出す。
【０１０２】
また、上記第２光源２から出射された波長λ２の第２レーザ光を使用してデータ書き込み用光ディスク１０にデータを書き込むときには、第２光源２から出射した第２レーザ光を、波長選択膜８を透過させた後、対物レンズ４によって光ディスク１０上の一点に集光することによって、光ディスク１０にデータを書き込む。
【０１０３】
尚、第１光源１と同様に第２光源２においても、データ書き込み用光ディスク１０にデータを書き込むときの第２光源２の出射光量は、データ読み出し用光ディスク１０からデータを読み込むときの第２光源２の出射光量よりも通常大きく、第２光源２の出射光量を制御する必要がある。このため、第２光源２から出射されて反射膜９に入射した第２レーザ光を、反射膜９で第２光源用光モニタ５の方へ反射して、第２光源用光モニタ５に入射した第２レーザ光の光量を検出する。その後、第２光源用光モニタ５に入射した第２レーザ光の光量を電気信号に変換して、この電気信号を上記自動出力制御回路に入力する。そして、この自動出力制御回路からの出力を、上記第２光源２にフィードバックして、第２光源２の光出力の制御を行う。
【０１０４】
上記第１実施形態の光ピックアップ装置によれば、反射膜９を、波長選択膜８を経由して対物レンズ４に入射する上記第１および第２レーザ光と接触しないような場所に配置しているので、第２光源２から出射されて波長選択膜８に入射した第２レーザ光を全て対物レンズ４の方に透過させることができる。したがって、従来の光ピックアップ装置のように第２レーザ光を波長選択膜で数％反射する必要がないので、対物レンズ４で光ディスク１０のデータ記録面に集光する第２レーザ光の光量を増やすことができて、光ディスク１０のデータ再生能力とデータ記録能力を向上させることができる。
【０１０５】
また、三角プリズム６の一側面と三角プリズム７の一側面とを貼り合わせて光分離素子３を形成する前に、予め波長選択膜８を三角プリズム６に設けると共に、反射膜９を三角プリズム７に設けることができるので、波長選択膜８と反射膜９とを別工程で形成できる。したがって、三角プリズムの一側面に波長選択膜を形成した後、反射膜を波長選択膜の上に形成するという従来の方法で生じる問題点、すなわち、反射膜を形成する蒸着工程で下地の波長選択膜に膜応力をあたえて波長選択膜を変質させるといった問題、または、反射膜の蒸着時の熱や作業取り扱いで下地の波長選択膜にダメージを与えるといった問題を回避できて、プリズムの製造歩留まりを向上できて、光分離素子３の製造コストを低減できる。
【０１０６】
また、波長選択膜８の反射率および透過率等の光学特性は、波長選択膜８の膜組成の屈折率と膜に接する部材の屈折率に依存するので、波長選択膜８と反射膜９とを直接接触させずに、波長選択膜８と反射膜９との間に接着剤１４を介在させたことによって、波長選択膜８の光学特性を反射膜９と独立に（反射膜９に依存することなく）設定できる。したがって、第２光源２の第２レーザ光を第２光源用モニタ５に反射する反射膜９の形成位置や材質に、選択自由度が生じることになり、この結果、第２光源用光モニタ５の配置位置にも選択自由度が生じるので、これらの選択自由度を有効に使って光ピックアップ装置をコンパクトにすることができる。
【０１０７】
また、波長選択膜８は、第１レーザ光に対し略１００％の反射率を有するので、第１光源１から出射された第１レーザ光は、三角プリズム６に入射した後、三角プリズム６に配置された波長選択膜８で略１００％反射する。したがって、第１光源１から出射された第１レーザ光は、三角プリズム７における三角プリズム６との貼り合わせ側面に配置された反射膜９に到達することがないので、第１レーザ光が反射膜９の影響を受けることがなくて、反射膜９の形成位置や材質に更なる自由度が生じることになる。
【０１０８】
また、入射する第２レーザ光の波長が温度変化などによって変動しても反射率が影響を受けにくく、かつ、高い反射率を有するＡｌ等の金属を蒸着させた金属蒸着反射膜を表面に有するミラー、または、誘電体を蒸着した誘電体蒸着反射膜を表面に有するミラー等で反射膜９を構成したので、第２光源２から出射された第２レーザ光の波長が温度変化等によって変化しても、反射膜９の反射率が影響を受けることがない。したがって、第２光源用光モニタ５で第２光源２の光量を正確に検出することができる。
【０１０９】
尚、上記第１実施形態の光ピックアップ装置では、第１光源１側の三角プリズム６の一側面と第２光源２側の三角プリズム７の一側面とを貼り合わせることによって光分離素子３を形成したが、三角プリズムの少なくとも一方をペンタプリズム等の別の形状のプリズムで代用しても良いことは勿論である。
【０１１０】
（第２実施形態）
図３は、第２実施形態の光ピックアップ装置の断面図である。第２実施形態の光ピックアップ装置は、第１実施形態の光ピックアップ装置の三角プリズム７における三角プリズム６との貼り合わせ側面に配置した反射手段（第１実施形態では反射膜９）の面積を、第１光源１に近づく方向に増大させた点と、第２光源２を、光ディスク（図示せず）のデータ記録面に垂直な方向に光分離素子３の方に近づけた点と、反射手段を反射膜で構成せずに反射型回折格子１９で構成した点のみが第１実施形態の光ピックアップ装置と異なる。
【０１１１】
第２実施形態の光ピックアップ装置では、第１実施形態の光ピックアップ装置の構成部と同一構成部には同一参照番号を付して説明を省略する。
【０１１２】
この第２実施形態の光ピックアップ装置では、第２光源２を光ディスクのデータ記録面に垂直な方向に光分離素子３の方に近づけたので、第１光源１から出射されて波長選択膜８で反射され、更に、対物レンズ４に入射する第１レーザ光の波長選択膜８における入射部分の光ディスクに対する射影における第１レーザ光の光束径２５が、第２光源２から出射されて波長選択膜８で透過して対物レンズ４に入射する第２レーザ光の波長選択膜８における入射部分の光ディスクに対する射影における第２レーザ光の光束径２４よりも大きくなる。
【０１１３】
上記第２実施形態の光ピックアップ装置によれば、第２光源２を、光ディスクのデータ記録面に垂直な方向に光分離素子２３の方に近づけて、上記光束径２４を、上記光束径２５と比較して小さく設定したので、反射型回折格子１９の大きさを大きく設定できる。したがって、第２光源２から出射されて第２光源用光モニタ５に入射する第２レーザ光の光量を大きくすることができるので、第２光源用光モニタ５から出力された信号のＳ／Ｎ比を向上できて、第２光源２の出射出力を正確に検出できる。
【０１１４】
また、反射手段を反射型回折格子１９で構成したので、格子ピッチを変えることによって、第２レーザ光の反射角度を簡単に調整できる。したがって、第２光源２から第２光源用光モニタ５に至る光学部品の配置に選択自由度が生じ、光ピックアップ装置をコンパクトにすることができる。
【０１１５】
尚、上記第２実施形態の光ピックアップ装置では、光分離素子２３の材質としてガラスを用いたが、光分離素子の材質として樹脂材料を用いても良く、この場合、光分離素子の金型に反射型回折格子を形成しておくだけで簡単安価に反射手段を形成できる。したがって、第１実施形態の光ピックアップ装置のように反射手段を蒸着膜を用いて形成した場合よりも、量産性が向上し、光ピックアップ装置のコストを低減できる。
【０１１６】
また、第１実施形態の光ピックアップ装置と同様に第１光源１からの第１レーザ光は波長選択膜８ですべて反射されるため、反射型回折格子１９が上記光束径２５の部分に重なる位置にあっても第１レーザ光が反射型回折格子１９にまで達することがない。したがって、第２光源２から出射されて対物レンズ４（図３では図示せず）に到達する第２レーザ光を反射しない範囲であれば、上記光束径２５内に反射型回折格子１９が配置されていても構わない。
【０１１７】
（第３実施形態）
図４は、第３実施形態の光ピックアップ装置の断面図である。第３実施形態の光ピックアップ装置は、第２光源２側の三角プリズム１７が小さい点と、三角プリズム１７における三角プリズム６との貼り合わせ側面に配置した反射型回折格子２９の面積を、第１光源１に近づく方向に更に増大させた点と、第２光源２を光ディスク（図示せず）のデータ記録面に垂直な方向に光分離素子３３の方に更に近づけた点が第２実施形態の光ピックアップ装置と異なる。
【０１１８】
第３実施形態の光ピックアップ装置では、第２実施形態の光ピックアップ装置の構成部と同一構成部には同一参照番号を付して説明を省略する。
【０１１９】
上記光分離素子３３は、第１光源１および第２光源２から出射される光の発散光束中に設けられている。
【０１２０】
上記構成において、第１光源１から出射された第１レーザ光は、光分離素子３３の三角プリズム６に入射しての波長選択膜８で略１００％反射した後、三角プリズム６から対物レンズ４側に出射する。すなわち、第１光源１からの第１レーザ光は、三角プリズム６の大きさに応じた距離だけ、光分離素子３３内を進む。
【０１２１】
一方、第２光源２から出射された第２レーザ光は、光分離素子３３の大きさが小さい三角プリズム１７に入射して光分離素子３３の波長選択膜８を透過して三角プリズム６から対物レンズ４側に出射する。すなわち、第２光源２からの第２レーザ光は、三角プリズム６と三角プリズム１７の大きさに応じた距離だけ、光分離素子３３内を進む。
【０１２２】
上記第３実施形態の光ピックアップ装置によれば、第２光源２に対向する三角プリズム１７を小さくしたので、第２実施形態の光ピックアップ装置の第２光源２が、第１実施形態の光ピックアップ装置の第２光源２に対して対物レンズ４側に移動した距離より、更に、第２光源２を対物レンズ４側へ移動させることができる。したがって、第２光源２から出射された第２レーザ光の対物レンズ４による集光点４１を、第１光源１から出射された第１レーザ光の対物レンズ４による集光点４２よりも光分光素子３３から遠い側に位置させることができる。したがって、第３実施形態の光ピックアップ装置で使用する２種類の光ディスク（以下、第１光ディスク、第２光ディスクという）の基板の厚みに違いがあり、対物レンズ４と第１光ディスクの間の距離（第１の距離とする）と、対物レンズ４と第２光ディスクの間の距離（第２の距離とする）に違いが生じても、上記集光点４１，４２の距離を、上記第１の距離と第２の距離の差に調整することによって、光ディスクの基板の厚さの違いに対処できる。したがって、上記集光点４１，４２の位置の違いに対処するのに、対物レンズの動作範囲を大きくする方法で対処する必要がないので、光ピックアップ装置をコンパクトに構成することができる。
【０１２３】
尚、第３実施形態の光ピックアップ装置で使用する光ディスクが、ＣＤとＤＶＤであった場合、光ディスクの基板の厚みは、夫々１．２ｍｍと０．６ｍｍであり、対物レンズ４と光ディスク間の距離に約０．４ｍｍの差が生じる。このような場合、第１光源１をＤＶＤ用にすると共に第２光源２をＣＤ用にして、第２光源２を対物レンズ４側へ移動させることによって、第２光源２から出射された第２レーザ光の対物レンズ４による集光点４１を、第１光源１から出射された第１レーザ光の対物レンズ４による集光点４２よりも光分光素子３３から遠い側に位置させる。このようにして、上記対物レンズ４と光ディスク間の距離の差である０．４ｍｍを調整する。
【０１２４】
また、上記第３実施形態の光ピックアップ装置によれば、第２光源２側の三角プリズム１７を小さくして、第２光源の設置位置を、第２実施形態の光ピックアップ装置の第２光源２の設置位置よりも更に光分離素子３３側に移動させたので、第２実施形態の光ピックアップ装置と比べて、第１光源１から出射されて波長選択膜８で反射され、更に、対物レンズ４に入射する第１レーザ光の波長選択膜８における入射部分の光ディスク（図示せず）に対する射影における第１レーザ光の光束径と、第２光源２から出射されて波長選択膜８で透過して対物レンズ４に入射する第２レーザ光の波長選択膜８における入射部分の光ディスクに対する射影における第２レーザ光の光束径との差を更に大きくすることができて、反射型回折格子２９を更に大きく設定できる。したがって、第２光源２から出射されて第２光源用光モニタ５へ入射する第２レーザ光の光量を更に大きくして、第２光源用光モニタ５の出力信号のＳ／Ｎ比を向上できるので、第２光源２の出射光量を更に正確に検出できる。
【０１２５】
また、第２光源２から対物レンズ４までの距離が短くなるため、光ピックアップ装置をコンパクトにできる。
【０１２６】
（第４実施形態）
図５は、第４実施形態の光ピックアップ装置の断面図である。上記第１実施形態から第３実施形態の光ピックアップ装置では、反射手段を、第２光源側の三角プリズムにおける第１光源側の三角プリズムとの貼り合わせ面の第２光源２から遠い側に設けてきたが、第４実施形態の光ピックアップ装置では、反射手段を、第２光源側の三角プリズム５７における第１光源側の三角プリズム６との貼り合わせ面の第２光源２から近い側に設ける。この第４実施形態の光ピックアップ装置では、反射手段を、意図的に上記第２光源２から近い側に設けることによって、反射手段を、上記第２光源２から近い側に設けときの問題点、および、反射手段を、第２光源から遠い側に設けたときの利点を述べることにする。
【０１２７】
第４実施形態の光ピックアップ装置では、第３実施形態の光ピックアップ装置の構成部と同一構成部には同一参照番号を付して説明を省略する。
【０１２８】
上記反射手段は、第１実施形態で用いた反射膜９と同じ素材の反射膜５９となっている。また、上記反射膜５９を第２光源２に近い側に設けて、第２光源２から出射された第２レーザ光を、第２光源用光モニタ５に導いている。
【０１２９】
しかしながら、この場合、第２光源２から出射されて反射膜５９に入射する第２レーザ光の位置が第２光源２に近い位置となり、第２レーザ光の反射膜５９への入射角θが第１実施形態から第３実施形態の光ピックアップ装置と比較して小さくなるため、第２光源用光センサ５を、第２光源２に近い位置に設けなければならなくなる。このことは、第２光源２として半導体レーザを通常のように採用した場合、放熱や耐環境性のために半導体レーザの周囲を覆っている半導体レーザの金属等のパッケージ５５が、第２光源用光モニタ５と近接するということを意味し、光ピックアップ装置の小型化が困難になるということを意味する。
【０１３０】
また、図５に示すように、第２光源２から出射されて反射膜５９で反射する第２レーザ光の第２光源２側の三角プリズム５７から出射する位置が、三角プリズム５７の頂角付近となることも好ましくない。というのも、第３実施形態の光ピックアップ装置のように第２光源側の三角プリズムを小さくした場合、第２レーザ光が第２光源側の三角プリズムの頂角付近で散乱して、第２光源用光センサ５に入射する第２レーザ光の光量が減少するからである。
【０１３１】
このような問題点を回避するため、反射手段を、第２光源側の三角プリズムにおける第１光源側の三角プリズムとの貼り合わせ面の第２光源から遠い側に設け、第２光源と第２光源用光モニタの距離を大きくして、光ピックアップ装置の小型化を実現する。
【０１３２】
尚、図５において参照番号６３は、第２光源２から出射されて波長選択膜８で透過して対物レンズ（図示せず）に入射する第２レーザ光の波長選択膜８における入射部分の光ディスク（図示せず）に対する射影における第２レーザ光の光束径を示し、参照番号６４は、第１光源１から出射されて波長選択膜８で反射され、更に、対物レンズに入射する第１レーザ光の波長選択膜８における入射部分の光ディスクに対する射影における第１レーザ光の光束径を示している。
【０１３３】
（第５実施形態）
図６は、第５実施形態の光ピックアップ装置の断面図である。第５実施形態の光ピックアップ装置は、第２光源２と光分離素子３の間にホログラムパターン６８ａを有するホログラム素子６８を設置した点と、光ディスク６１から反射してこのホログラム素子６８で回折した第１および第２レーザ光を受ける光検出器６９を設けた点のみが第１実施形態の光ピックアップ装置と異なる。
【０１３４】
第５実施形態の光ピックアップ装置では、第１実施形態の光ピックアップ装置の構成部と同一構成部には同一参照番号を付して説明を省略する。
【０１３５】
上記構成において、上記第２光源２から出射されてホログラム素子６８に入射して、ホログラムパターン６８ａで回折されない第２レーザ光の０次光６３は、対物レンズ４によって光ディスク１０の表面にスポットを形成する。そして、このスポットで反射した０次光６３は、対物レンズ４と光分離素子３を再度通過した後、ホログラムパターン６８ａに入射する。そして、ホログラムパターン６８ａに入射した０次光におけるホログラムパターン６８ａでの１次回折光を、光検出器６９で光電変換して、光ディスク１０上のデータ再生等を行う。
【０１３６】
一方、上記第２光源２から出射されてホログラムパターン素子６８に入射して、ホログラムパターン１８ａで回折した回折光６４は、光分離素子６の反射膜９で反射されて第２光源用光モニタ５に入射する。
【０１３７】
上記第５実施形態の光ピックアップ装置によれば、第２光源２の出射光量を検出するために反射膜９に入射させる第２レーザ光として、第２光源から出射されてホログラム素子パターン６８ａで回折する回折光を用いるので、第２光源２から出射された第２レーザ光のうち、強度のより強い中心付近のレーザ光を反射膜９で反射させて第２光源用光モニタ５に導くことができる。したがって、第２光源用光モニタ５から出力される信号のＳ／Ｎ比を向上させて第２光源２の出射光量を正確に検出できる。
【０１３８】
また、光分離素子３の波長選択膜８の第２光源２から遠い側に対向する部分に反射膜９を設けた上でホログラム素子６８を設置したので、ホログラムパターン１８ａで回折される回折光が、ホログラムパターン１８ａで回折されない０次光から分離する度合が大きくなる。したがって、光分離素子３の波長選択膜８の光源２から遠い側に対向する部分に反射膜９を設けたことと、第２光源２と光分離素子３の間に、ホログラム素子６８を設けたことの相乗効果によって、より大きい光量の第２レーザ光を第２光源用光モニタ５に導くことができる。
【０１３９】
（第６実施形態）
図７は、第６実施形態の光ピックアップ装置の断面図である。第６実施形態の光ピックアップ装置は、第２光源（図示せず）から出射されてホログラムパターン６８ａで回折されずに直進する０次光の光軸７２と、光分離素子の波長選択膜８との法線が成す角をθａとし、かつ、第２光源から出射されてホログラムパターン６８ａで回折し、最終的に第２光源用光モニタ５に入射する第２レーザ光におけるホログラムパターン６８ａでの一次回折光７３の回折角をθｈとしたとき、
２θａ＋θｈ≒９０°・・・・・（１）
という条件が成立する点のみが、第５実施形態の光ピックアップ装置と異なる。
【０１４０】
第６実施形態の光ピックアップ装置では、第５実施形態の光ピックアップ装置の構成部と同一構成部には同一参照番号を付して説明を省略する。
【０１４１】
第６実施形態の光ピックアップ装置において、反射手段としての反射膜で反射して第２光源用光モニタ５に入射する第２レーザ光と、第２光源から出射されてホログラムパターン６８ａで回折されない０次光とが成す角をαとしたとき、この角度α、θａおよびθｈには、式（２）に示す関係が成立する。
【０１４２】
α＝１８０°−２θａ−θｈ・・・・・（２）
したがって、上記第６実施形態の光ピックアップ装置では、式（１）の関係と式（２）の関係から以下に示す式（３）の関係が成立する。
【０１４３】
α≒９０°・・・・・（３）
上記第６実施形態の光ピックアップ装置によれば、反射膜（図示せず）で反射して第２光源用光モニタ５に入射する第２レーザ光と、第２光源から出射されてホログラムパターン６８ａで回折されない０次光とが成す角αを略９０°に設定したので、第２レーザ光を第２光源用光モニタ５の受光面に対して垂直に入射させることが容易になる。したがって、上記受光面の単位面積当たりの第２レーザ光の入射光量を極大にすることができるので、第２光源用光モニタ５から出力される信号のＳ／Ｎ比を向上させて、第２光源２の出射光量を正確に検出できる。
【０１４４】
また、第２光源用光モニタ５を０次光の光軸（０次光の光束の中心軸）７２に対して平行に設置することにより、光ピックアップ装置内の部品配置に自由度が生まれるため、光ピックアップ装置の小型化を図ることができる。
【０１４５】
尚、上記第６実施形態の光ピックアップ装置では、θａとθｈとを式（１）を満たすように設定したが、θａとθｈを式（１）を満たすように設定した上で、θａとθｈとの間に更に以下に示す式（４）と式（５）の条件をかしても良く、この場合光ピックアップ装置を高品質なものにすることができる。
【０１４６】
３０°≦θａ≦３７°・・・・・（４）
１１°≦θｈ≦３５°・・・・・（５）
すなわち、θｈに式（５）の条件をかすことによって、回折光が光ディスクに照射されて不要な迷光になることを避ける観点からは大きい角度にする方が良い一方、ホログラムパターンを微細化する必要がない量産性の観点からは小さい角度にする方が良いθｈの値のバランスを取ることができる。また、θａに式（４）の条件をかすことによって、波長選択膜８で反射される第１光源の光の波面を良好にするθａを０°（垂直入射角度）に近づける条件と、式（１）および式（４）の条件とのバランスを取ることもできる。したがって、光ピックアップ装置の小型化を図ることができるのである。
【０１４７】
（第７実施形態）
図８は、第７実施形態の光ピックアップ装置の部分断面図である。第７実施形態の光ピックアップ装置は、本質的に、光分離素子８３を構成する第１光源（図示せず）側の三角プリズム８６および第２光源（図示せず）側の三角プリズム８７の形状を大きく変形させて、光分離素子８３を取り代えた点が、第６実施形態の光ピックアップ装置と異なる。
【０１４８】
詳細には、第７実施形態の光ピックアップ装置のホログラムパターン６８ａ側の三角プリズム８７は、第２光源用光モニタ５側かつホログラムパターン６８ａ側の頂点θｔが９０°で他の２角がθａおよび（９０°―θａ）の直角プリズム（今後、直角プリズムにも参照番号８７を付す）８７となっている。また、三角プリズム８６は、直角プリズム８７における直角である頂角θｔに対向する側面の面積と同等の面積の側面を有している。三角プリズム８６におけるこの側面を直角プリズム８７の頂角θｔに対向する側面に隙間なく貼り合わせることによって、光分離素子８３を形成している。
【０１４９】
第７実施形態の光ピックアップ装置では、第６実施形態の光ピックアップ装置の構成部と同一構成部には同一参照番号を付して説明を省略する。
【０１５０】
三角プリズム８６における直角プリズム８７に貼り合わせられる側面に第１実施形態の波長選択膜８と同じ素材の波長選択膜８８を形成すると共に、光分離素子の波長選択膜８８の第２光源２から遠い側に対向する部分に第１実施形態の反射膜９と同じ素材の反射膜８９を設けている。
【０１５１】
また、第６実施形態の光ピックアップ装置と同様に、第２光源（図示せず）から出射されてホログラムパターン６８ａで回折されずに直進する０次光の光軸８１と、光分離素子（図示せず）の波長選択膜８８の法線とが成す角度θａと、第２光源２から出射されてホログラムパターン６８ａで回折し、最終的に第２光源用光モニタ５に入射する第２レーザ光におけるホログラムパターン６８ａでの一次回折光８２の回折角θｈの間には、式（１）の条件（２θａ＋θｈ≒９０°）が成立している。
【０１５２】
上記直角プリズム８７の第２光源用光モニタ側５の側面８７ａは、光散乱面の一例としてのスリガラス状の面で形成されている。このスリガラス状の側面８７ａは、反射膜８９で反射した後、この側面８７ａを透過しないわずかな第２レーザ光を散乱させる役割を果たす。また、上記第２光源用光モニタ５側の側面８７ａには、この側面８７ａでの第２レーザ光の反射を抑制する反射防止膜（ＡＲコート）加工が施されている。
【０１５３】
上記第７実施形態の光ピックアップ装置によれば、ホログラムパターン６８ａ側の三角プリズムを加工が容易で量産に適した直角プリズム８７にしたので、コストを低減することができる。
【０１５４】
また、ホログラムパターン６８ａ側の三角プリズムを直角プリズム８７にしたので、第２光源（図示せず）から出射されホログラムパターン６８ａで回折し、更に、反射膜８９で反射した第２レーザ光の方向を、直角プリズム８７の第２光源用光モニタ側の側面８７ａの法線方向と一致させることができる。したがって、第２レーザ光がこの側面８７ａで屈折することがないので、第２光源用光モニタ５の配置に関して、屈折による第２レーザ光の位置のずれを考慮する必要がなく、光ピックアップ装置の設計を簡素化することができる。
【０１５５】
また、上記第２光源用光モニタ側の側面８７ａを光散乱面の一例としての反射防止膜加工が施されたスリガラス状の面にしたので、反射膜８９で反射した後、反射防止膜加工が施された側面８７ａを透過しないわずかな第２レーザ光を散乱させて発散できる。したがって、通常、反射防止膜（ＡＲコート）を設けても、０．５〜１％程度の反射率で側面８７ａで反射する第２レーザ光が、側面８７ａに入射した経路を略逆向きに光学系に戻って不要な迷光となる現象を防止でき、光ディスクの記録再生特性の悪化を防止して、光ピックアップ装置の動作の安定化を図ることができる。尚、上記第７実施形態の光ピックアップ装置では、式（１）の条件が成立し、かつ、側面８７ａ側のプリズムが直角プリズム８７であるので、第２レーザ光は側面８７ａに略垂直に入射することになる。
【０１５６】
また、直角プリズム８７の側面８７ａをスリガラス状の面にしたので、直角プリズム８７を安価で製造できかつ直角プリズム８７の量産性を更に高めることができる。
【０１５７】
尚、上記第７実施形態の光ピックアップ装置では、上記側面８７ａで反射した第２レーザ光が迷光になることを抑制するために、上記第２光源用光モニタ側の側面８７ａを反射防止膜加工が施されたスリガラス状の面にしたが、第２光源用光モニタ５側の側面は、ガラス基板から直角プリズムを切り出す工程での切断面のままでも構わない。また、散乱の効果の度合いによっては、反射防止膜を設ける必要もない。
【０１５８】
（第８実施形態）
図９は、第８実施形態の光ピックアップ装置の断面図である。第８実施形態の光ピックアップ装置では、反射膜９が設けられていた部分に対向する第１光源（図示せず）側の三角プリズムの角部を切断して、第２光源２側の三角プリズム９７の表面の一部分を露出させ、この露出面を反射手段の一例としての反射面９９にした点のみが、本質的に第１実施形態の光ピックアップ装置と異なる（他の相違点としては、例えば、波長選択膜の面積が小さい点等がある。）。
【０１５９】
第８実施形態の光ピックアップ装置では、第１実施形態の光ピックアップ装置の構成部と同一構成部には同一参照番号を付して説明を省略する。
【０１６０】
上記第８実施形態の光ピックアップ装置では、第２光源２から出射されて上記反射面９９で反射して第２光源用光モニタ５の受光面に入射する第２レーザ光の反射面９９への入射角をψとし、第２光源２側の三角プリズム９７の屈折率をｎとしたとき、反射面９９が全反射面となる以下の式（６）が成立している。
【０１６１】
ｎ×ｓｉｎψ≧１・・・・・（６）
上記第８実施形態の光ピックアップ装置によれば、第１光源側のプリズム９６の反射手段を、三角プリズムの一角部を単に切断するだけで形成でき、Ａｌ等の金属を蒸着させた金属蒸着反射膜を表面に有するミラー、誘電体を蒸着した誘電体蒸着反射膜を表面に有するミラーまたは反射型回折格子等の構造が複雑な反射手段を第２光源側の三角プリズムに設ける必要がないので、量産性に優れた光分離素子９３を簡単安価に製造できる。
【０１６２】
また、式（６）の条件をかしたので、反射率を理論上１００％にできる。したがって、蒸着反射膜や反射型回折格子を用いた場合と比較して、より多くの光量を第２光源用光モニタ５に導いて、第２光源用光モニタ５の出力信号のＳ／Ｎ比を向上させることができる。
【０１６３】
（第９実施形態）
図１０は、第９実施形態の光ピックアップ装置が備える光分離素子の断面図である。第９実施形態の光ピックアップ装置では、第１光源（図示せず）側の三角プリズム１０６の第２光源用光センサ（図示せず）側の角部を切断した点は、第８実施形態の光ピックアップ装置と同様であるが、この切断面１０１が、第２光源（図示せず）から出射されて対物レンズ（図示せず）に入射する第２レーザ光の光軸１０２と略平行（ここでは、切断面１０１と光軸１０２とが交わらない状態を平行と呼んでいる）になっている点が、第８実施形態の光ピックアップ装置と異なる。
【０１６４】
上記第９実施形態の光ピックアップ装置によれば、切断面１０１を上記光軸１０２と平行にしたので、プリズム１０６における第１および第２レーザ光が出射する対物レンズ（図示しない）側の第１および第２レーザ光出射面１０６ｂの面積を大きくすることができる。したがって、上記第１および第２レーザ光出射面１０６ｂで散乱する第１レーザ光を抑制できるので、第１および第２レーザ光を確実に対物レンズに入射させることができ、光ディスク（図示せず）のデータ再生能力およびデータ記録能力を向上できる。
【０１６５】
また、切断面１０１を上記光軸１０２と平行にしたので、反射手段の一例としての反射面１０９の面積を大きくすることができて、第２光源用光モニタ（図示せず）へ入射する第２レーザ光の光量を大きくすることができる。
【０１６６】
（第１０実施形態）
図１１は、第１０実施形態の光ピックアップ装置が備える光分離素子の断面図である。二つの同等の第１光源（図示せず）側の三角プリズム１１６と第２光源（図示せず）側の１１７を三角プリズムの端面どうしが段差を生じないように、三角プリズム１１６を第２光源側にずらして貼り合わせて光分離素子１１３を形成している。三角プリズム１１６における図示しない第２光源側の三角プリズム１１７との貼り合わせ部を有する側面全体に、波長選択膜１１８を形成している。また、三角プリズム１１７の三角プリズム１１６との貼り合わせ部を有する側面における対物レンズ（図示せず）側でかつ第２光源用光センサ側（図示せず）の三角プリズム１１６との非接触部は、反射手段の一例としての反射面１１９となっている。
【０１６７】
上記第１０実施形態の光ピックアップ装置によれば、上記第８および第９実施形態の光ピックアップ装置のように第１または第２光源側の三角プリズムをカット加工する必要がないので、コストを削減できる。
【０１６８】
（第１１実施形態）
図１２は、第１１実施形態の光ピックアップ装置が備える光分離素子の断面図である。この光分離素子１２３は、第１光源（図示せず）側に配置された三角プリズム１２６の一側面の一部と、第２光源（図示せず）側に配置されたプリズム１２７の一側面とを貼り合わせて形成されている。
【０１６９】
上記プリズム１２７は、三角プリズムの一側面の端部が切断されたような形状を有している。上記プリズム１２７は、三角プリズム１２６との貼り合わせ面に連なる段部１２１と、この段部１２１に連なる三角プリズム１２６と非接触な非接触面の一例としての表面１２９とを有する。この表面１２９は、反射手段の一例としての反射面（以下、この反射面にも参照番号１２９を付す）となっている。上記光分離素子１２３における三角プリズム１２６とプリズム１２７の貼り合わせ面の対物レンズ側（図示せず）の端に隣接するところには、溝１２２が形成されている。
【０１７０】
尚、第１１実施形態の光ピックアップ装置においても、上記第８実施形態の光ピックアップ装置と同様に、第２光源から出射されて反射面１２９で反射して第２光源用光モニタ（図示せず）の受光面に入射する第２レーザ光の反射面１２９への入射角をψとし、プリズム１２７の屈折率をｎとしたとき、ｎとψとの間に反射面１２９が全反射面になる式（６）の関係（ｎ×ｓｉｎψ≧１）が成立している。
【０１７１】
上記第１１実施形態の光ピックアップ装置によれば、上記プリズム１２７の反射面１２９を、三角プリズムの一側面の端部を切断することによって形成しているので、切断する部分を調整することによって上記ψの角度も簡単に調整できる。したがって、図１２では図示しない第２光源用光モニタを光ピックアップ装置の小型化に都合のいい場所に配置することができる。
【０１７２】
（第１２実施形態）
図１３は、第１２実施形態の光ピックアップ装置が備える光分離素子の断面図である。この光分離素子１３３を、第１光源（図示せず）側に配置されたプリズム１３６の一側面の一部と、第２光源（図示せず）側に配置された三角プリズム１３７の一側面とを貼り合わせて形成している。
【０１７３】
第１２実施形態の光ピックアップ装置が備える光分離素子１３３は、三角プリズムの一側面の端部が切断されたような形状を有しているのが第１光源側のプリズム１３６である点が、第２光源側のプリズム１２７（図１２参照）が、三角プリズムの一側面の端部が切断されたような形状を有している第１１実施形態の光ピックアップ装置が備える光分離素子１２３と本質的に異なっている。
【０１７４】
尚、図１３において、参照番号１３１は、プリズム１３６の三角プリズム１３７との貼り合わせ面に連なる段部を示し、参照番号１３５は、プリズム１３６の段部１３１に連なる三角プリズム１３７と非接触な表面を示す。
【０１７５】
一方、参照番号１３９は、上記非接触な表面１３５と対向する三角プリズム１３７のプリズム１３６との非接触面を示し、反射手段の一例としての反射面となっている。
【０１７６】
上記第１２実施形態の光ピックアップ装置によれば、第１光源側のプリズム１３６を、三角プリズムの一側面の端部を切断することによって形成したので、段部１３１の第２光源（図示せず）側のエッジ１３６ａは、第１１実施形態の光ピックアップ装置が備える光分離素子１２３の段部１２１のエッジ１２７ａのようにレーザ光を散乱させることがない。したがって、第１１実施形態の光ピックアップ装置のように、エッジ１２７ａで散乱したレーザ光が不要な迷光になることがない。
【０１７７】
（第１３実施形態）
図１４は、第１３実施形態の光ピックアップ装置が備える光分離素子の断面図である。この光分離素子１４３を、第１光源（図示せず）側に配置された三角プリズム１４６の一側面の一部と、第２光源（図示せず）側に配置された三角プリズム１４７の一側面の一部とを接着剤で貼り合わせて形成している。接着剤１４５で形成された接着層は、数ミクロンから数十ミクロンの厚みを有する。
【０１７８】
上記三角プリズム１４６における三角プリズム１４７との貼り合わせ面には、波長選択膜（図示せず）が形成されている。
【０１７９】
接着層の対物レンズ側（図示せず）の端面は、溝１４１の底面となっている。上記溝１４１の三角プリズム１４７側の側面１４９は、反射手段の一例としての反射面となっている。
【０１８０】
上記第１３実施形態の光ピックアップ装置によれば、第１１および第１２実施形態の光ピックアップ装置のように、光分離素子１２３，１３３を形成するのに三角プリズム１２７，１３６を切断加工する必要がないので、光分離素子１４３を簡単安価に製造できる。
【０１８１】
（第１４実施形態）
図１５は、第１４実施形態の光ピックアップ装置の部分断面図である。第１４実施形態の光ピックアップ装置は、反射膜を設けなかった点と、第２光源（図示せず）側の三角プリズム１５７と第１光源（図示せず）側の三角プリズム（図示せず）とを図１１に示すようにずらして貼り合わせた点と、第２光源側の三角プリズム１５７の屈折率をｎとすると共に、第１光源側の三角プリズムにおける三角プリズム１５７との貼り合わせ面の法線と、ホログラムパターン６８ａで回折しなかった第２レーザ光の光軸（光束の中心軸）１５２との傾きをθａとし、かつ、第２光源（図示せず）から出射されてホログラムパターン６８ａで一次回折し、更に三角プリズム１５７の貼り合わせ面における第１光源側の三角プリズムとの非接触部分で反射して第２光源用光モニタに入射する第２レーザ光のホログラムパターン６８ａでの一次回折光１５１の回折角をθｈとしたとき、これらｎ、θｈおよびθａの間に、以下の式（７）の関係が成立する点が、本質的に第５実施形態の光ピックアップ装置と異なる。
【０１８２】
ｎ×ｓｉｎ（θａ＋（ｓｉｎ−１（ｓｉｎθｈ／ｎ）））≧１・・・（７）
式（７）は、第２レーザ光のホログラムパターン６８ａで回折した一次回折光１５１が、三角プリズム１５７の第１光源側の三角プリズムとの非接触面の一例としての非接触部分１５９で全反射する条件である。第１４実施形態の光ピックアップ装置では、上記非接触部分１５９は、反射手段の一例となっている。
【０１８３】
尚、第１４実施形態の光ピックアップ装置では、第５実施形態の光ピックアップ装置の構成部と同一構成部には同一参照番号を付して説明を省略する。
【０１８４】
上記構成において、第２光源から出射されてホログラムパターン６８ａで回折した一次回折光１５１は、上記非接触部分１５９で全反射して第２光源用光モニタ（図示せず）に入射する。
【０１８５】
上記第１４実施形態の光ピックアップ装置によれば、ｎ、θｈおよびθａの間に、上記式（７）の関係を設定したので、第２レーザ光のホログラムパターン６８ａで回折した一次回折光１５１を、非接触部分１５９で略１００％反射させることができる。したがって、第２光源用光モニタに入射する第２レーザ光の光量を大きくすることができる。
【０１８６】
（第１５実施形態）
図１６は、第１５実施形態の光ピックアップ装置の部分断面図である。第１５実施形態の光ピックアップ装置は、光分離素子を二つの三角プリズムを貼り合わせることによって形成する代わりに光分離素子１６３を合成石英またはＢＫ−７製等の平行平板型の透明な一体部材を加工することによって形成した点のみが第１実施形態の光ピックアップ装置と異なる。
【０１８７】
第１５実施形態の光ピックアップ装置では、第１実施形態の光ピックアップ装置の構成部と同一構成部には同一参照番号を付して説明を省略する。
【０１８８】
光分離素子１６３の第１光源１に対向する面には、波長選択膜１６８が蒸着により形成されている。この波長選択膜は、第１光源１から出射された波長λ１の第１レーザ光を略全反射すると共に、第２光源２から入射した波長λ２の第２レーザ光を略透過させるように設計されている。
【０１８９】
また、光分離素子１６３の第２光源２に対向する面の図示しない対物レンズに近い側の部分には、反射手段の一例としての反射膜１６９が形成されている。
【０１９０】
上記反射膜１６９は、第２光源２から出射される第２レーザ光の波長が温度変化などによって変動しても、反射率が影響を受けないＡｌなどの金属や誘電体を蒸着したミラーで形成されている。
【０１９１】
上記第１５実施形態の光ピックアップ装置によれば、波長選択膜１６８を、平行平板型の光分離素子１６３の第１光源１に対向する面に設ける一方、反射膜１６９を、平行平板型の光分離素子１６３の第２光源に対向する面に設けたので、光分離素子を二つの別部材で形成した場合と同様に、波長選択膜１６８と反射膜１６９とを別工程で形成できる。したがって、光分離素子を二つの別部材で形成した場合と同様に、三角プリズムの一側面に波長選択膜を形成した後、反射膜を波長選択膜の上に形成するという従来の方法で生じる問題点、すなわち、反射膜を形成する蒸着工程で下地の波長選択膜に膜応力をあたえて波長選択膜を変質させるといった問題、または、反射膜の蒸着時の熱や作業取り扱いで下地の波長選択膜にダメージを与えるといった問題を回避できて、上記透明な一体部材の製造歩留まりを向上できて、光分離素子の製造コストを低減できる。
【０１９２】
また、平行平板型の透明な一体部材から光分離素子１６３を形成するので、二つのプリズムを貼り合わせたタイプの光分離素子と比較して、貼り合わせ工程を省略できると共に、光学研磨面を第１および第２光源に対向する２つの面だけにすることができる。したがって、光分離素子１６３の製造コストを格段に低減できる。
【０１９３】
尚、上記第１５実施形態の光ピックアップ装置では、光分離素子１６３を、平行平板型の透明な一体部材から形成したが、光分離素子を、合成石英またはＢＫ−７製等のくさび（ウェッジ）型の透明な一体部材または合成石英またはＢＫ−７製等の平行でない平板型の透明な一体部材から形成しても良く、この場合も平行平板型の透明な一体部材を使用した場合と同様の効果を得ることができる。
【０１９４】
（第１６実施形態）
図１７（Ａ）は、第１６実施形態の光ピックアップ装置の部分断面図である。第１６実施形態の光ピックアップ装置では、波長選択膜１７８の膜特性が、均一でない点のみが第１実施形態の光ピックアップ装置と異なる。
【０１９５】
第１６実施形態の光ピックアップ装置では、第１実施形態の光ピックアップ装置の構成部と同一構成部には同一参照番号を付して説明を省略する。
【０１９６】
第１６実施形態の光ピックアップ装置では、上記第の光源１から出射されて波長選択膜１７８で反射される第１レーザ光の波長選択膜１７８における反射率が最大の位置が、波長選択膜１７８における反射膜９の中心位置に対向する部分になるようにしている。
【０１９７】
図１７（Ｂ）は、波長選択膜１７８に入射する第１レーザ光の入射角と、第１レーザ光の波長選択膜１７８に対する反射率との関係を示す図である。
【０１９８】
図１７（Ｂ）に示すθ３１は、波長選択膜１７８における反射膜９の中心位置に対向する部分に入射する第１レーザ光１７１の入射角を示し、θ３２は、波長選択膜１７８における第１光源１側に近い側の部分に対する第１レーザ光１７２の入射角を示している。
【０１９９】
図１７（Ｂ）に示すように、第１レーザ光の波長選択膜１７８に対する反射率は、波長選択膜１７８における反射膜９の中心位置に対向する部分で最大になっている。そして、この反射膜９の中心位置に対向する部分から第１光源１側に移動するに従って、反射率が減少するようになっている。
【０２００】
上記第１６実施形態の光ピックアップ装置によれば、第１レーザ光の波長選択膜１７８に対する反射率を、波長選択膜１７８における反射膜９の中心位置に対向する部分で最大にしたので、波長選択膜１７８を透過するわずかな第１レーザ光を、波長選択膜１７８における反射膜９の中心位置に対向する部分で最小にすることができる。したがって、第１光源１から出射されて波長選択膜１７８を透過した僅かな第１レーザ光が、反射手段である反射膜９に達して、この反射膜９で反射して迷光となったり、波長選択膜１７８を透過して反射膜９で反射するわずかな第１レーザ光によって、波長選択膜１７８の反射膜９の中心位置に対向する領域で反射した第１レーザ光の光束の波面が乱れるという問題を回避できて、第１レーザ光の光束の波面収差を良好に保つことができる。尚、波長選択膜１７８を透過する光のうち、波長選択膜１７８の第１光源１側を透過するわずかな第１レーザ光は、三角プリズム７を透過するだけで問題を引き起こすことはない。
【０２０１】
尚、上記第１６実施形態の光ピックアップ装置では、第１レーザ光の波長選択膜１７８に対する反射率を、波長選択膜１７８における反射膜９の中心位置に対向する部分で最大にしたが、第１レーザ光の波長選択膜１７８に対する反射率の最大位置を、波長選択膜１７８における反射膜９に対向する領域に設ければ、第１６実施形態の光ピックアップ装置と同様の効果を得ることができる。
【０２０２】
（第１７実施形態）
図１８は、第１７実施形態の光ピックアップ装置の部分断面図である。第１７実施形態の光ピックアップ装置は、第１光源（図示せず）側の三角プリズム１８６の一側面と、柱方向に垂直な方向に四角形状（略台形状）の断面を有する第２光源２側のプリズム１８７における面積が最大の側面とを貼り合わせることによって光分離素子１８３を形成し、光分離素子を取り代えた点のみが第１実施形態の光ピックアップ装置と異なる。
【０２０３】
第１７実施形態の光ピックアップ装置では、第１実施形態の光ピックアップ装置の構成部と同一構成部には同一参照番号を付して説明を省略する。
【０２０４】
上記プリズム１８７は、三角プリズムの一角部を切断することによって形成している。
【０２０５】
上記光分離素子１８３の上記面積が最大の側面に対向する面積が最小の側面に、反射手段としての反射膜１８９を形成すると共に、上記三角プリズム１８６の上記一側面に波長選択膜１８８を形成している。上記反射面１８９は、Ａｌなどの金属や誘電体を蒸着したミラー等で形成されている。
【０２０６】
尚、図１８において、参照番号１８１は、第２光源２から出射されて反射膜１８１で反射し、その後第２光源用光モニタ５に入射する第２レーザ光の光路の一例を示している。
【０２０７】
上記第１７実施形態の光ピックアップ装置によれば、反射手段としての反射膜１８９を、プリズム１８７の面積が最大の側面に対向する面積が最小の側面に設けているので、プリズム１８７の第２光源側の側面と上記面積が最小の側面とがなす角度α、または、第２光源２から出射されて反射面１８９に入射する第２レーザ光の反射面８９に対する入射角θを、プリズム１８７の第２光源側の側面と光分離素子１８３の波長選択膜１８８とがなす角度βと独立に設定できる。したがって、第２光源用光モニタ５の配置場所に自由度が生じ、光ピックアップ装置の小型化が可能となる。
【０２０８】
尚、上記第１７実施形態の光ピックアップ装置では、反射手段としての反射膜１８９を、プリズム１８７の上記面積が最小の側面にＡｌなどの金属や誘電体を蒸着したミラー等を設けることによって形成して、第２レーザ光の反射膜１８９に対する高い反射率を獲得したが、第２光源用光モニタ５への光量が十分に取れる場合には、反射面を、プリズム１８７の材質と同じ材質の素材面としても良い。というのも、プリズムの素材材質である素材面を反射手段としても、光学のフレネルの公式により、上記素材面に入射した第２レーザ光の数％が、この素材面で反射することになるからである。上記のように、従来の光ピックアップ装置では、第２光源からの第２レーザ光を波長選択膜で数％反射させて第２光源用光モニタに導いていたので、プリズムの素材材質である素材面を反射手段としても、従来の光ピックアップ装置の第２光源用モニタで検出されている第２レーザ光の光量と同程度の光量を第２光源用モニタで検出できるのである。
【０２０９】
尚、プリズムの素材材質である素材面を反射手段とした場合、反射手段を、三角プリズムの一角部を切断して研磨加工するだけで容易に形成できるので、光分離素子の製造コストを大幅に低減できる。
【０２１０】
（第１８実施形態）
図１９は、第１８実施形態の光ピックアップ装置の部分断面図である。第１８実施形態の光ピックアップ装置は、第２光源２側のプリズム１８７の第２光源２に対向する面と、第２光源２の間に偏光変換手段の一例としての二分の一波長膜１９０を配置した点と、第２光源２から出射されて二分の一波長膜１９０を通過して反射膜１８９で反射した後、第２光源用光モニタ５に入射する第２レーザ光の反射膜１８９に対する入射角をθｂとし、プリズム１８７の屈折率をｎとしたとき、上記θｂとｎの間に近似的に以下に示す式（８）の関係が成立する点が、第１７実施形態の光ピックアップ装置と異なる。
【０２１１】
ｔａｎθｉ＝ｎ・・・・・（８）
第１９実施形態の光ピックアップ装置では、第１７実施形態の光ピックアップ装置の構成部と同一構成部には同一参照番号を付して説明を省略する。
【０２１２】
上記二分の一波長板１９０の結晶軸方位は、第２光源２から出射された直線偏光の第２レーザ光を、第２レーザ光の偏光方位が反射面１８９に対して略Ｓ偏光になるように設定されている。
【０２１３】
上記第１８実施形態の光ピックアップ装置によれば、第２光源２側のプリズム１８７の第２光源２に対向する面と第２光源２の間に偏光変換手段の一例としての二分の一波長膜１９０を配置して、この二分の一波長膜１９０で第２光源２から出射された直線偏光の第２レーザ光を反射面１８９に対して略Ｓ偏光に偏光させているので、反射面に入射する第２レーザ光が略Ｓ偏光になる。したがって、Ｓ偏光の反射率はＰ偏光の反射率よりも高くなることから、より多くの第２レーザ光を第２光源用光モニタ５に導くことができる。
【０２１４】
また、第２光源用光モニタ５に入射する第２レーザ光の反射膜１８９に対する入射角をθｂとし、プリズム１８７の屈折率をｎとしたとき、上記θｂとｎの間に近似的に式（８）の関係が成立するので、θｂをブリュースター角とすることができて、反射膜１８９でのＰ偏光の反射率をゼロにすることができる。したがって、光ディスク上に集光される光は、第２レーザ光の中の同波長および同位相のＳ偏光成分（誘導放出成分）であるので、第２光源２から出射される第２レーザ光にわずかに含まれるＰ偏光成分である自然放出成分を第２光源用モニタに入射しないようにすることができる。したがって、実際に光ディスクにデータを記録したり光ディスクのデータを読み出したりするときに使用する第２レーザ光の誘導放出成分の出射出力のみを第２光源用モニタ５で検出することができる。
【０２１５】
尚、第１８実施形態の光ピックアップ装置では、反射膜１８９に第２レーザ光のＳ偏光成分である誘導放出成分を入射させるのに、第２光源と反射膜の間に二分の一波長膜１９０を配置したが、二分の一波長膜１９０を用いる代わりに第２光源２をＴＭモード半導体レーザにすることによって、反射膜１８９にＳ偏光を入射させても良い。ここで、ＴＭモード半導体レーザ装置とは、レーザ光の偏光方位が、レーザ光を出射する半導体レーザ装置の活性層に対して垂直な方向のレーザ光を出射する半導体レーザ装置である。波長６３０〜６５０ｎｍ帯の半導体レーザでは、偏光方位が活性層に対して垂直なＴＭモード、または活性層に対して平行なＴＥモードの両レーザ装置がもうすでに実用化されている。したがって、上記二つのモードのうちＴＭレーザ光を発振できる半導体レーザ装置を光源に選ぶことにより、反射手段に入射する第２レーザ光をＳ偏光とすることができる。尚、Ｓ偏光を得るのに二分の一波長膜１９０を用いる代わりにＴＭモード半導体レーザ装置を用いた場合は、比較的高価な二分の一波長膜１９０等の偏光変換素子を省略できるので、光ピックアップ装置のコストを削減でき、かつ、光ピックアップ装置をコンパクトにできる。
【０２１６】
（第１９実施形態）
図２０は、第１９実施形態の光ピックアップ装置の部分断面図である。第１９実施形態の光ピックアップ装置は、第２光源２側のプリズム２０７の反射手段の一例としての反射面２０９を凹面にしたところが図１８に示す第１７実施形態の光ピックアップ装置と異なる。
【０２１７】
第１９実施形態の光ピックアップ装置では、第１７実施形態の光ピックアップ装置の構成部と同一構成部には同一参照番号を付して説明を省略する。
【０２１８】
上記凹面である反射面２０９は、プリズム２０７の素材と同じ素材の素材面となっている。
【０２１９】
上記第１９実施形態の光ピックアップ装置によれば、反射手段の一例としての反射面２０９を凹面にしたので、第２光源２から出射された第２レーザ光である発散光を、凹面である反射面２０９で第２光源用光モニタ５の受光面の方へ反射できると同時に、凹面である反射面２０９の作用により第２光源２から出射された第２レーザ光である発散光を第２光源用光モニタ５の受光面上に収束させることができる。したがって、第２光源用光モニタ５により大きい光量の第２レーザ光を入射させることができる。
【０２２０】
尚、上記第１から第１９実施形態の光ピックアップ装置で説明してきたこの発明の光ピックアップ装置の複数の発明部分を組み合わせて新たな実施形態の光ピックアップ装置を構成しても良い。そして、そのような光ピックアップ装置の場合、複数の発明部分の相乗効果によって光ピックアップ装置をよりいっそう高品質なものにすることができる。
【０２２１】
【発明の効果】
以上より明らかなように、この発明の光ピックアップ装置によれば、第１光源から出射された第１レーザ光を対物レンズの方に反射すると共に、第２光源から出射された第２レーザ光を透過させて対物レンズに入射させる波長選択膜と、上記第２光源から出射された上記第２レーザ光を透過させて上記対物レンズに入射させる反射手段とを接触しないように配置したので、波長選択膜と反射手段の位置を適切に調整することにより、第２光源から出射されて波長選択膜に入射した第２レーザ光を全て対物レンズ方に透過させることができる。したがって、従来の光ピックアップ装置のように第２レーザ光を波長選択膜で数％反射する必要がないので、対物レンズを介して光ディスクのデータ記録面に集光する第２レーザ光の光量を増やすことができて、光ディスクのデータ再生能力とデータ記録能力を向上させることができる。
【０２２２】
また、波長選択膜と反射手段が接触しないように設けられるので、波長選択膜と反射手段とを別工程で形成できる。したがって、三角プリズムの一側面に波長選択膜を形成した後、反射手段である反射膜を波長選択膜の上に形成するという従来の光ピックアップ装置で生じる問題点、すなわち、反射手段である反射膜を形成する蒸着工程で下地の波長選択膜に膜応力をあたえて波長選択膜を変質させるといった問題、または、上記反射膜の蒸着時の熱や作業取り扱いで下地の波長選択膜にダメージを与えるといった問題を回避できて、光分離素子の製造歩留まりを向上できて、光分離素子の製造コストを低減できる。
【図面の簡単な説明】
【図１】本発明の第１実施形態の光ピックアップ装置の断面図である。
【図２】第１実施形態の光ピックアップ装置が備える光分離素子を構成する二つの三角プリズムの貼り合わせ面付近の拡大図である。
【図３】本発明の第２実施形態の光ピックアップ装置の断面図である。
【図４】本発明の第３実施形態の光ピックアップ装置の断面図である。
【図５】本発明の第４実施形態の光ピックアップ装置の断面図である。
【図６】本発明の第５実施形態の光ピックアップ装置の断面図である。
【図７】本発明の第６実施形態の光ピックアップ装置の断面図である。
【図８】本発明の第７実施形態の光ピックアップ装置の部分断面図である。
【図９】本発明の第８実施形態の光ピックアップ装置の部分断面図である。
【図１０】本発明の第９実施形態の光ピックアップ装置が備える光分離素子の断面図である。
【図１１】本発明の第１０実施形態の光ピックアップ装置が備える光分離素子の断面図である。
【図１２】本発明の第１１実施形態の光ピックアップ装置が備える光分離素子の断面図である。
【図１３】本発明の第１２実施形態の光ピックアップ装置が備える光分離素子の断面図である。
【図１４】本発明の第１３実施形態の光ピックアップ装置が備える光分離素子の断面図である。
【図１５】本発明の第１４実施形態の光ピックアップ装置の部分断面図である。
【図１６】本発明の第１５実施形態の光ピックアップ装置の部分断面図である。
【図１７】図１７（Ａ）は、本発明の第１６実施形態の光ピックアップ装置の部分断面図であり、図１７（Ｂ）は、波長選択膜に対する第１レーザ光の入射角と、波長選択膜に対する第１レーザ光の反射率との関係を示す図である。
【図１８】本発明の第１７実施形態の光ピックアップ装置の部分断面図である。
【図１９】本発明の第１８実施形態の光ピックアップ装置の部分断面図である。
【図２０】本発明の第１９実施形態の光ピックアップ装置の部分断面図である。
【図２１】従来の光ピックアップ装置の断面図である。
【符号の説明】
１　第１光源
２　第２光源
３，２３，３３，５３，８３，９３，１０３，１１３，１２３，１３３，１４３，１６３，１７３，１８３，２０３　光分離素子
４　対物レンズ
５　第２光源用光モニタ
６，７，１７，５７，８６，９７，１０７，１１６，１１７，１２６，１３７，１４６，１４７，１５７，１７６，１８６　三角プリズム
８，８８，１１８，１６８，１７８，１８８　波長選択膜
９，５９，８９，１８９　反射膜
１０　光ディスク
１４，１４５　接着剤
１９，２９　反射型回折格子
２４，２５，６３，６４　光束径
４１，４２　焦光点
６８　ホログラム素子
６８ａ　ホログラムパターン
８７　直角プリズム
８７ａ　側面
９６，１０６，１２７，１３６，１８７，２０７　プリズム
９９，１０９，１１９，１２９，１３９，１４９，１６９，２０９　反射面
１０１　切断面
１０６ｂ　第１および第２レーザ光出射面
１２１，１３１　段部
１３５　非接触表面
１５１　一次回折光
１５９　非接触部分
１９０　二分の一波長膜
【図１】
2004103176.tif 000003
【図２】
2004103176.tif 000004
【図３】
2004103176.tif 000005
【図４】
2004103176.tif 000006
【図５】
2004103176.tif 000007
【図６】
2004103176.tif 000008
【図７】
2004103176.tif 000009
【図８】
2004103176.tif 000010
【図９】
2004103176.tif 000011
【図１０】
2004103176.tif 000012
【図１１】
2004103176.tif 000013
【図１２】
2004103176.tif 000014
【図１３】
2004103176.tif 000015
【図１４】
2004103176.tif 000016
【図１５】
2004103176.tif 000017
【図１６】
2004103176.tif 000018
【図１７】
2004103176.tif 000019
【図１８】
2004103176.tif 000020
【図１９】
2004103176.tif 000021
【図２０】
2004103176.tif 000022
【図２１】
2004103176.tif 000023